(57)【要約】【課題】可動手段を用いた遊技の興趣の向上を好適に図ることを可能とする。【解決手段】パチンコ機は、演出用ユニット１００を備えている。演出用ユニット１００は、可動演出ブロック１０１と駆動ブロック１０２とを備えている。可動演出ブロック１０１のハウジング１１１には隔壁部１４１が形成されているとともに、当該隔壁部１４１には浮きユニット１２１の駆動受け部材１２２が回転可能に支持されている。隔壁部１４１内には駆動ブロック１０２の出力軸１６２が遊挿されており、出力軸１６２が回転した場合には当該出力軸１６２に設けられた永久磁石の磁力により吸引されて駆動受け部材１２２が回転する。また、ハウジング１１１内には液体が封入されているとともに、駆動受け部材１２２には浮き部材１２４が連結されており、駆動受け部材１２２が回転した場合には浮き部材１２４が移動し、それに伴って液体の液面が波立つ。【選択図】      図５
2010136845.tif 000002
【特許請求の範囲】
【請求項１】
液体を収容する液室が形成されているとともに、当該液室内に収容されている液体により形成されている液層の液面が遊技機前方から視認可能なように設けられた容器と、
前記液面を揺らす可動手段と、
を備えていることを特徴とする遊技機。
【請求項２】
前記可動手段は、前記液室内に配置された可動物を備えており、
当該可動物の移動範囲には、前記液面を跨ぐように前記可動物が配置された基準位置から前記液層内に沈む方向に移動する移動範囲が含まれていることを特徴とする請求項１に記載の遊技機。
【請求項３】
前記可動物を、前記液体の浮力に抗して前記液層内に沈む方向に移動させる駆動手段を備え、
前記液層を形成する液体は有色であり、
前記駆動手段による駆動箇所は、遊技機前方から当該駆動箇所を視認しようとしても、その遊技機前方から当該駆動箇所に至るまでの視線の経路上に前記液層が含まれる位置となるように設定されていることを特徴とする請求項２に記載の遊技機。
【請求項４】
前記可動物を前記液層内に沈む方向に移動させる駆動力が付与されていない前記可動物の初期位置では、当該可動物は前記液層内にその全体が入り込んでいることを特徴とする請求項２又は請求項３に記載の遊技機。
【請求項５】
前記液室内には、それぞれ比重が異なる複数種類の液体が封入されていることにより、複数の液体層が形成されており、
前記基準位置は、前記複数の液体層における第１層と当該第１層に対してその上方にて重なる第２層との間の界面を跨いでそれら第１層及び第２層に亘って可動物が配置されている位置であり、
前記可動物の移動範囲には、前記基準位置と、前記界面を跨いだ状態を維持しながら当該基準位置よりも前記第１層側に沈んだ位置とが含まれていることを特徴とする請求項２乃至請求項４のいずれか１に記載の遊技機。
【請求項６】
前記可動物は、前記基準位置に配置されている状態において前記第１層及び前記第２層にその全体が入り込んでいることを特徴とする請求項５に記載の遊技機。
【請求項７】
前記第１層は有色の液体により形成されているとともに、前記第２層は無色透明の液体により形成されていることを特徴とする請求項５又は請求項６に記載の遊技機。
【発明の詳細な説明】
【技術分野】
【０００１】
本発明は、遊技機に関するものである。
【背景技術】
【０００２】
遊技機として例えばパチンコ遊技機では、遊技盤に形成された遊技領域に対して遊技球が発射され、当該遊技領域内の各種入賞口に遊技球が入賞されるとそれに伴い所定個数の遊技球が払い出される。また、パチンコ遊技機には例えば図柄表示ユニットが設けられ、この図柄表示ユニットにより複数列の図柄が変動表示される。図柄表示ユニットは、液晶表示装置等によって構成されることが多く、例えば左右方向又は上下方向に並ぶ３つの図柄列が設けられ、各図柄列毎に図柄が変動表示される。この場合、所定の入賞口への入賞をトリガとして図柄表示ユニットによる図柄の変動表示が開始され、その後、所定の変動パターンによる変動表示を経て図柄の変動表示が停止される。そして、停止図柄に応じて特別遊技状態に移行し、開放された大入賞口に複数の遊技球が入賞することで、多数の遊技球が払い出される。
【０００３】
また近年では、例えば液晶表示装置等の図柄表示ユニットの周辺に可動部材を設け、遊技内容（例えば図柄の変動表示の内容）と可動部材の動作内容に所定の対応関係をもたせ、遊技中（例えば図柄の変動時）における遊技の興趣を高めるようにしている（例えば、特許文献１参照）。
【特許文献１】特開２００２―７８９０４号公報
【発明の開示】
【発明が解決しようとする課題】
【０００４】
しかしながら、現在知られている遊技機の可動部材は、いずれも比較的単純な動きに終始しており、動きのインパクトに欠けるものとなっている。したがって、可動部材を用いて遊技の興趣を高める上で未だ改良の余地がある。
【０００５】
本発明は、上記例示した事情等に鑑みてなされたものであり、可動手段を用いた遊技の興趣の向上を好適に図ることが可能な遊技機を提供することを目的とするものである。
【課題を解決するための手段】
【０００６】
以下、上記課題を解決するための手段について記載する。
【０００７】
請求項１記載の発明は、液体を収容する液室が形成されているとともに、当該液室内に収容されている液体により形成されている液層の液面が遊技機前方から視認可能なように設けられた容器と、前記液面を揺らす可動手段と、を備えていることを特徴とする。
【発明の効果】
【０００８】
可動手段を用いた遊技の興趣の向上を好適に図ることが可能となる。
【発明を実施するための最良の形態】
【０００９】
以下、遊技機の一種であるパチンコ遊技機（以下、「パチンコ機」という）の一実施の形態を、図面に基づいて詳細に説明する。図１はパチンコ機１０の正面図、図２及び図３はパチンコ機１０の主要な構成を展開して示す斜視図である。なお、図２では便宜上パチンコ機１０の遊技領域内の構成を省略している。
【００１０】
パチンコ機１０は、図１に示すように、当該パチンコ機１０の外殻を形成する外枠１１と、この外枠１１に対して前方に回動可能に取り付けられた遊技機本体１２とを有する。外枠１１は木製の板材などを四辺に連結し構成されるものであって矩形枠状をなしている。パチンコ機１０は、外枠１１を島設備に取り付け固定することにより、遊技ホールに設置される。
【００１１】
遊技機本体１２は、内枠１３と、その内枠１３の前方に配置される前扉枠１４と、内枠１３の後方に配置される裏パックユニット１５とを備えている。遊技機本体１２のうち内枠１３が外枠１１に対して回動可能に支持されている。詳細には、正面視で左側を回動基端側とし右側を回動先端側として内枠１３が前方へ回動可能とされている。
【００１２】
内枠１３には、図２に示すように、前扉枠１４が回動可能に支持されており、正面視で左側を回動基端側とし右側を回動先端側として前方へ回動可能とされている。また、内枠１３には、図３に示すように、裏パックユニット１５が回動可能に支持されており、正面視で左側を回動基端側とし右側を回動先端側として後方へ回動可能とされている。
【００１３】
なお、遊技機本体１２には、図３に示すように、その回動先端部に施錠装置１６が設けられており、遊技機本体１２を外枠１１に対して開放不能に施錠状態とする機能を有しているとともに、前扉枠１４を内枠１３に対して開放不能に施錠状態とする機能を有している。これらの各施錠状態は、パチンコ機１０前面にて露出させて設けられたシリンダ錠１７に対して解錠キーを用いて解錠操作を行うことにより、それぞれ解除される。
【００１４】
次に、遊技機本体１２の前面側の構成について説明する。
【００１５】
内枠１３は、図２に示すように、外形が外枠１１とほぼ同一形状をなす樹脂ベース２１を主体に構成されている。樹脂ベース２１の中央部には略楕円形状の窓孔２３が形成されている。樹脂ベース２１には遊技盤２４が着脱可能に取り付けられている。遊技盤２４は合板よりなり、遊技盤２４の前面に形成された遊技領域が樹脂ベース２１の窓孔２３を通じて内枠１３の前面側に露出した状態となっている。
【００１６】
ここで、遊技盤２４の構成を図４に基づいて説明する。遊技盤２４には、ルータ加工が施されることによって前後方向に貫通する大小複数の開口部が形成されている。各開口部には一般入賞口３１，可変入賞装置３２，上作動口３３，下作動口３４，スルーゲート３５及び可変表示ユニット３６等がそれぞれ設けられている。
【００１７】
一般入賞口３１、可変入賞装置３２及び作動口３３，３４に遊技球が入ると、それが遊技盤２４の背面側に配設された検知センサ（図示略）により検知され、その検知結果に基づいて所定数の賞球の払い出しが実行される。その他に、遊技盤２４の最下部にはアウト口３７が設けられており、各種入賞口等に入らなかった遊技球はアウト口３７を通って遊技領域から排出される。また、遊技盤２４には、遊技球の落下方向を適宜分散、調整等するために多数の釘３８が植設されていると共に、風車等の各種部材（役物）が配設されている。
【００１８】
可変表示ユニット３６には、作動口３３，３４への入賞をトリガとして図柄を可変表示する図柄表示装置４１が設けられている。また、可変表示ユニット３６には、図柄表示装置４１を囲むようにしてセンターフレーム４２が配設されている。センターフレーム４２の上部には、第１特定ランプ部４３及び第２特定ランプ部４４が設けられている。また、センターフレーム４２の上部及び下部にはそれぞれ保留ランプ部４５，４６が設けられている。下側の保留ランプ部４５は、図柄表示装置４１及び第１特定ランプ部４３に対応しており、遊技球が作動口３３，３４を通過した回数は最大４回まで保留され保留ランプ部４５の点灯によってその保留個数が表示されるようになっている。上側の保留ランプ部４６は、第２特定ランプ部４４に対応しており、遊技球がスルーゲート３５を通過した回数は最大４回まで保留され保留ランプ部４６の点灯によってその保留個数が表示されるようになっている。
【００１９】
図柄表示装置４１は、液晶ディスプレイを備えた液晶表示装置として構成されており、後述する表示制御装置により表示内容が制御される。図柄表示装置４１には、例えば左、中及び右に並べて図柄が表示され、これらの図柄が上下方向にスクロールされるようにして変動表示されるようになっている。そして、予め設定されている有効ライン上に所定の組み合わせの図柄が停止表示された場合には、特別遊技状態（以下、大当たり状態という）が発生することとなる。
【００２０】
第１特定ランプ部４３では、作動口３３，３４への入賞をトリガとして所定の順序で発光色の切り替えが行われ、予め定められた色で停止表示された場合には大当たりが発生する。また、第２特定ランプ部４４では、遊技球のスルーゲート３５への入賞をトリガとして所定の順序で発光色の切り替えが行われ、予め定められた色で停止表示された場合には下作動口３４に付随する電動役物３４ａが所定時間だけ開放状態となる。
【００２１】
ちなみに、いずれかの作動口３３，３４への入賞に基づいて、遊技結果表示手段を構成する第１特定ランプ部４３にて変動表示が開始され、所定の停止結果を表示し上記変動表示が停止されるまでが遊技回の１回に相当する。
【００２２】
また、可変表示ユニット３６は、図柄表示装置４１の表示画面に隣接させて、より詳細には図柄表示装置４１の表示画面に対して横並びとなる位置に、演出用ユニット１００を備えている。演出用ユニット１００では、図柄表示装置４１における図柄の変動表示に合わせて所定の演出が実行される。当該演出用ユニット１００の詳細については、後に説明する。
【００２３】
可変入賞装置３２は、通常は遊技球が入賞できない又は入賞し難い閉状態になっており、大当たりの際に遊技球が入賞しやすい所定の開放状態に切り換えられるようになっている。可変入賞装置３２の開放態様としては、所定時間（例えば３０秒間）の経過又は所定個数（例えば１０個）の入賞を１ラウンドとして、複数ラウンド（例えば１５ラウンド）を上限として可変入賞装置３２が繰り返し開放されるものが一般的である。
【００２４】
遊技盤２４には、内レール部５１と外レール部５２とが取り付けられており、これら内レール部５１と外レール部５２とにより誘導レールが構成され、遊技球発射機構５３から発射された遊技球が遊技領域の上部に案内されるようになっている。遊技球発射機構５３は、図２に示すように、樹脂ベース２１における窓孔２３の下方に取り付けられており、前扉枠１４に設けられた発射ハンドル５４が操作されることにより遊技球の発射動作が行われる。
【００２５】
内枠１３の前面側全体を覆うようにして前扉枠１４が設けられている。前扉枠１４には、図１に示すように、遊技領域のほぼ全域を前方から視認することができるようにした窓部６１が形成されている。窓部６１は、略楕円形状をなし、透明性を有する窓パネル６２が嵌め込まれている。窓部６１の周囲には、各種ランプ等の発光手段が設けられている。当該各種ランプ部の一部として表示ランプ部６３が窓部６１の上方に設けられている。また、表示ランプ部６３の左右両側には、遊技状態に応じた効果音などが出力されるスピーカ部６４が設けられている。
【００２６】
前扉枠１４における窓部６１の下方には、手前側へ膨出した上側膨出部６５と下側膨出部６６とが上下に並設されている。上側膨出部６５内側には上方に開口した上皿７１が設けられており、下側膨出部６６内側には同じく上方に開口した下皿７２が設けられている。上皿７１は、後述する払出装置より払い出された遊技球を一旦貯留し、一列に整列させながら遊技球発射機構５３側へ導くための機能を有する。また、下皿７２は、上皿７１内にて余剰となった遊技球を貯留する機能を有する。上皿７１及び下皿７２には、裏パックユニット１５の払出装置９６から払い出された遊技球が前扉枠１４の背面に設けられた通路形成ユニット７３を通じて排出される。
【００２７】
次に、遊技機本体１２の背面側の構成について説明する。
【００２８】
図３に示すように、内枠１３（具体的には、遊技盤２４）の背面には、主制御装置８１及び音声ランプ制御装置８２が搭載されている。主制御装置８１は、遊技の主たる制御を司る主制御基板と、電源を監視する停電監視基板とを具備しており、これら主制御基板及び停電監視基板が透明樹脂材料等よりなる基板ボックス８３に収容されて構成されている。音声ランプ制御装置８２は、主制御装置８１からの指示に従い音声やランプ表示、及び図示しない表示制御装置の制御を司る音声ランプ制御基板を具備しており、音声ランプ制御基板が透明樹脂材料等よりなる基板ボックス８４に収容されて構成されている。
【００２９】
裏パックユニット１５は、図３に示すように、裏パック９１を備えており、当該裏パック９１に対して、払出機構部９２及び制御装置集合ユニット９３が取り付けられている。なお、裏パック９１は透明性を有する合成樹脂により形成されており、主制御装置８１や音声ランプ制御装置８２などを後方から覆うように、後方に突出し略直方体形状をなす保護カバー部９４を有している。
【００３０】
払出機構部９２は、保護カバー部９４を迂回するようにして配設されており、遊技場の島設備から供給される遊技球が逐次補給されるタンク９５と、当該タンク９５に貯留された遊技球を払い出すための払出装置９６と、を備えている。払出装置９６より払い出された遊技球は、当該払出装置９６の下流側に設けられた図示しない払出通路を通じて、上皿７１又は下皿７２に排出される。なお、払出機構部９２には、例えば交流２４ボルトの主電源が供給されるとともに、電源のＯＮ操作及びＯＦＦ操作を行うための電源スイッチが設けられた裏パック基板が搭載されている。
【００３１】
制御装置集合ユニット９３は、払出制御装置９７と電源及び発射制御装置９８とを備えている。これら払出制御装置９７と電源及び発射制御装置９８とは、払出制御装置９７がパチンコ機１０後方となるように前後に重ねて配置されている。
【００３２】
払出制御装置９７は、払出装置９６を制御する払出制御基板が基板ボックス内に収容されて構成されている。電源及び発射制御装置９８は、電源及び発射制御基板が基板ボックス内に収容されて構成されており、当該基板により、各種制御装置等で要する所定の電力が生成されて出力され、さらに遊技者による発射ハンドル５４の操作に伴う遊技球の打ち出しの制御が行われる。また、本パチンコ機１０は各種データの記憶保持機能を有しており、万一停電が発生した際でも停電時の状態を保持し、停電からの復帰の際には停電時の状態に復帰できるようになっている。
【００３３】
次に、遊技盤２４に設けられた演出用ユニット１００の構成について詳しく説明する。図５は演出用ユニット１００の外観を示す側面図、図６は演出用ユニット１００の分解斜視図、図７は一部破断部分を含む演出用ユニット１００の斜視図、図８は演出用ユニット１００の縦断面図である。なお、図６及び図７は、演出用ユニット１００を裏側から見た状態を示している。
【００３４】
図５等に示すように、演出用ユニット１００は、可動演出ブロック１０１と、当該可動演出ブロック１０１にて所定の動作を行わせるための駆動ブロック１０２と、を備えており、これら可動演出ブロック１０１及び駆動ブロック１０２は土台１０３上に固定されてユニット化されている。可動演出ブロック１０１及び駆動ブロック１０２は共に、土台１０３に対して着脱自在な状態で固定されており、さらにまた土台１０３が遊技盤２４に固定されている。なお、図６及び図７では、土台１０３を省略している。
【００３５】
可動演出ブロック１０１は、図６に示すように、その外郭を形成するハウジング１１１を備えている。ハウジング１１１は、一方に開放された箱状をなす表ケース１１２及び裏ケース１１３を備えており、開放された側の各端面１１２ａ，１１３ａの全体が相互に重なるようにして両ケース１１２，１１３が組み合わされ、各ケース１１２，１１３の４隅に形成された一対のボス１１２ｂ，１１３ｂを通じて両ケース１１２，１１３がネジ止めされていることにより、ハウジング１１１は所定の内部空間を有している。
【００３６】
表ケース１１２及び裏ケース１１３はハウジング１１１の内部空間がハウジング１１１外部から視認可能となるように、ポリカーボネートといった無色透明の合成樹脂により形成されている。なお、ハウジング１１１の内部空間がハウジング１１１外部から視認可能であれば無色透明に限定されることはなく有色透明の材料により形成されていてもよい。
【００３７】
ちなみに、可動演出ブロック１０１は、表ケース１１２の表面板部１１４がパチンコ機１０前方を向くようにして土台１０３に固定されており、当該表面板部１１４の一部が前扉枠１４に設けられた窓パネル６２と前後に対向していることにより、可動演出ブロック１０１がパチンコ機１０前方から視認可能となっている。
【００３８】
裏ケース１１３の裏面板部１１５には、その上部にハウジング１１１の内外に貫通する注入口１１６が形成されており、図８に示すように、当該注入口１１６を通じてハウジング１１１内には液体が封入（収容）されている。なお、注入口１１６は、ハウジング１１１内に液体を注入した後にキャップ１１７により塞がれている。
【００３９】
液体としては、相対的に比重が重軽となるように、重側液体と、軽側液体とが封入されている。より具体的には、重側液体として水が封入されており、軽側液体として水よりも比重が軽い油が封入されている。このように重側液体と軽側液体とが封入されていることにより、ハウジング１１１の内部空間では、複数の液体の層が形成されている。つまり、重側液体による下側層１１８と、軽側液体による上側層１１９と、が形成されており、ハウジング１１１の高さ方向の中間付近にて、下側層１１８と上側層１１９との間の界面１２０が生じている。
【００４０】
なお、重側液体が水であり軽側液体が油である構成は必須ではなく、上記のように複数の液体の層が形成されるのであれば、食塩水と水とを用いてもよく、比重が相互に異なる油を用いてもよい。また、複数の液体の層は、２層に限定されることはなく、３層以上であってもよい。
【００４１】
各液体は、上側層１１９がハウジング１１１の内部空間の上端付近に達するようにハウジング１１１内に注入されているが、上側層１１９がハウジング１１１の内部空間の上端に達するように注入されていてもよい。また、上側層１１９を形成する軽側液体は無色透明であるのに対して、下側層１１８を形成する重側液体は有色透明となっている。この有色透明の度合いは、下側層１１８内のハウジング１１１外部からの視認性が上側層１１９内の視認性に比べて低くなるのであれば任意である。但し、かかる構成に限定されることはなく、下側層１１８内をハウジング１１１外部から視認不可となるように、不透明な液体により下側層１１８を形成してもよい。
【００４２】
ちなみに、ハウジング１１１は上記のとおり表ケース１１２と裏ケース１１３とを固定することにより形成されているが、両ケース１１２，１１３の相互に重なり合う各端面１１２ａ，１１３ａは接着剤を用いて隙間なく接着されている。これにより、ハウジング１１１の液密性が高められ、液体のハウジング１１１外部への漏れが抑制されている。
【００４３】
ハウジング１１１の内部空間には、上記液体内において所定の動作を行うための可動手段である可動ユニットとして浮きユニット１２１が設けられている。
【００４４】
浮きユニット１２１は、図６に示すように、環状の駆動受け部材１２２と、当該駆動受け部材１２２に対して線状部材１２３を通じて連結された可動物である浮き部材１２４と、を備えている。なお、線状部材１２３としては釣り糸が用いられているが、その他の種類の糸や、ピアノ線などを用いてもよい。
【００４５】
駆動受け部材１２２は、図８に示すように、合成樹脂により形成されたケース部材１３１を有している。当該ケース部材１３１は２重環状をなしており、内側環部１３２と外側環部１３３とは各軸線が同一直線上となるように形成されているとともに、内側環部１３２を挟んで対向配置された一対の連結部１３４により、これら内側環部１３２と外側環部１３３とが連結されている。これら一対の連結部１３４が形成された位置を除いて、内側環部１３２と外側環部１３３とは放射方向に離間されており、両者の間には駆動受け部材１２２の厚み方向に貫通する隙間が形成されている。また、内側環部１３２には、駆動受け部材１２２の軸線上に延びる断面円形の内側貫通孔１３５が形成されている。
【００４６】
外側環部１３３の外周面には凹部１３６が形成されており、当該凹部１３６に一体形成された止め部１３７に対して線状部材１２３の一端が固定されている。また、当該線状部材１２３の他端は、浮き部材１２４に固定されている。これにより、駆動受け部材１２２が軸線を中心に回転した場合には、回転に伴って外周面に線状部材１２３を巻き取ることが可能であり、当該線状部材１２３が巻き取られることで、駆動受け部材１２２と浮き部材１２４との相対位置を近付けることが可能となる。この場合に、外側環部１３３の外周面には、駆動受け部材１２２の厚み方向の両端にそれぞれ環状のフランジ部１３８が形成されており、外側環部１３３の外周面に巻き取られた線状部材１２３が、当該外周面から駆動受け部材１２２の厚み方向に外れてしまわないように規制されている。
【００４７】
浮きユニット１２１は、ハウジング１１１の内部空間の下部に形成された隔壁部１４１に支持されている。隔壁部１４１について詳細には、図６に示すように、隔壁部１４１は、表ケース１１２の表面板部１１４からハウジング１１１の内部空間側に突出するように一体形成された表側筒部１４２と、裏ケース１１３の裏面板部１１５からハウジング１１１の内部空間側に突出するように一体形成された裏側筒部１４３と、を備えている。表ケース１１２及び裏ケース１１３が組み合わされていることにより、表側筒部１４２及び裏側筒部１４３はハウジング１１１の内部空間に突出した側の各端面の全体が相互に重なり合っており、さらに表側筒部１４２及び裏側筒部１４３の各筒孔は同一軸線上において連通している。
【００４８】
つまり、図７及び図８に示すように、隔壁部１４１は円筒状に形成されており、ハウジング１１１の表面側から裏面側に貫通する断面円形であって孔長方向の全体に亘って孔径が同一となった隔壁貫通孔１４４を備えている。そして、隔壁部１４１の外周面はハウジング１１１の内部空間を規定するとともに、隔壁部１４１の内周面はハウジング１１１の外周面を規定している。ちなみに、各筒部１４２，１４３の相互に重なり合う各端面は接着剤を用いて隙間なく接着されている。これにより、ハウジング１１１の液密性が高められ、液体のハウジング１１１外部への漏れが抑制されている。
【００４９】
隔壁部１４１の外径は、駆動受け部材１２２における内側貫通孔１３５の孔径よりも若干小さく設定されており、当該内側貫通孔１３５に対して隔壁部１４１が遊挿されている。これにより、駆動受け部材１２２は隔壁部１４１を中心に正逆両方向に回転可能となっている。なお、隔壁部１４１が形成された位置は、当該隔壁部１４１に支持されている駆動受け部材１２２がハウジング１１１の底部に接触しない位置となっている。
【００５０】
ここで、駆動受け部材１２２はその厚み寸法が、ハウジング１１１の内部空間の厚み寸法に比べ小さく設定されている。これに対して、隔壁部１４１はその長さ寸法が内部空間の厚み寸法と同一となっている。この場合に、隔壁部１４１の外周面には、一対の位置規制環部１４５が駆動受け部材１２２の厚み寸法分よりも若干離間させた状態で対向配置されている。これら位置規制環部１４５が形成されていることにより、駆動受け部材１２２が隔壁部１４１の長さ方向に移動しようとしたとしても、駆動受け部材１２２における内側環部１３２の端面が位置規制環部１４５に当接することで、それ以上の移動が規制される。これにより、図７に示すように、隔壁部１４１上における駆動受け部材１２２の位置が、隔壁部１４１の長さ方向の中間位置となるように規制される。
【００５１】
隔壁部１４１及び駆動受け部材１２２は、図８に示すように、その全体が、ハウジング１１１内の液体の上側層１１９及び下側層１１８のうち下側層１１８に含まれている。かかる位置に駆動受け部材１２２が配置された構成において、浮き部材１２４には下側層１１８の液体及び上側層１１９の液体から浮力を受けている。この場合に、浮き部材１２４はその重力が、下側層１１８の液体から受ける浮力及び上側層１１９の液体から受ける浮力のいずれよりも小さくなるように形成されている。したがって、浮き部材１２４には、駆動受け部材１２２とは反対側の方向、換言すれば、上側層１１９の上側の液面に向けて押し上げる方向に、常時付勢されている。
【００５２】
但し、既に説明したとおり、浮き部材１２４には線状部材１２３の一端が固定されている。また、当該線状部材１２３の長さ寸法は、隔壁部１４１に支持された状態の駆動受け部材１２２の上端位置から、下側層１１８と上側層１１９との界面１２０までの距離よりも短くなるように設定されているとともに、線状部材１２３が鉛直方向に張られた状態において、所定の長さ寸法を有する浮き部材１２４の途中位置が界面１２０上となるように設定されている。したがって、駆動受け部材１２２に対して重力や浮力を除いた外力が加えられていない状況では、界面１２０を跨いで下側層１１８及び上側層１１９の両側に亘って浮き部材１２４が配置された状態となる。この状態が、演出用ユニット１００の自然状態である。
【００５３】
浮き部材１２４の形状について詳細には、当該浮き部材１２４は、棒状の軸部１５１と、軸部１５１の中間位置に固定された浮力受け部１５２と、を備えており、軸部１５１は浮力受け部１５２を挟んだ両側に延びているとともに、軸部１５１の一端に線状部材１２３が固定されている。また、浮力受け部１５２はその外形が、線状部材１２３が固定された軸部１５１側に向けて先細りするように形成されており、より詳細には、線状部材１２３が固定された軸部１５１側に向けて先細りするテーパ面１５３が形成されている。自然状態では、当該テーパ面１５３が、界面１２０を跨いで下側層１１８及び上側層１１９の両側に亘って配置されている。
【００５４】
上記自然状態において駆動受け部材１２２が隔壁部１４１を中心として時計周り又は反時計周りのいずれかに回転することにより、当該駆動受け部材１２２に線状部材１２３が巻き取られ浮き部材１２４が下方に移動する。かかる駆動受け部材１２２の回転は、駆動ブロック１０２が駆動状態となることで生じる。
【００５５】
駆動ブロック１０２は、図６に示すように、本体部１６１と、当該本体部１６１から突出した出力軸１６２と、を備えており、本体部１６１が駆動信号を受けて通電されることにより出力軸１６２が当該出力軸１６２の軸線周りに回転する回転モータである。この場合、当該駆動ブロック１０２は、正方向用の駆動信号を受けることにより、パチンコ機１０正面から見て時計周りに回転する正方向に出力軸１６２が回転し、逆方向用の駆動信号を受けることにより、パチンコ機１０正面から見て反時計周りに回転する逆方向に出力軸１６２が回転する。
【００５６】
出力軸１６２には、その軸線方向の途中位置に軸線側に向けて凹んだ収容凹部１６３が形成されており、当該収容凹部１６３には、磁力により磁性体を吸引及び吸着する磁気手段として、フェライト磁石などの永久磁石１６４が固定されている。収容凹部１６３は、出力軸１６２の軸線周りに１８０°間隔で２箇所に形成されており、各収容凹部１６３に対して１個の永久磁石１６４が設けられている。これら一対の永久磁石１６４は、出力軸１６２を挟んで対向配置されている。ちなみに、収容凹部１６３の深さ寸法及び永久磁石１６４の厚み寸法は、永久磁石１６４が出力軸１６２の外周面において収容凹部１６３が形成されていない箇所よりも外方に突出しないように設定されている。
【００５７】
一対の永久磁石１６４が外周面に設けられた出力軸１６２において収容凹部１６３が形成されていない箇所における外径は、隔壁部１４１の隔壁貫通孔１４４の孔径よりも若干小さく設定されており、当該隔壁貫通孔１４４に対して出力軸１６２が遊挿されている。この場合、隔壁貫通孔１４４内における一対の永久磁石１６４の位置は、隔壁部１４１の長さ方向において中間位置となっており、この位置は隔壁部１４１の長さ方向における駆動受け部材１２２の位置と対応している。
【００５８】
出力軸１６２に固定された一対の永久磁石１６４に対応させて、浮きユニット１２１の駆動受け部材１２２において内側環部１３２を挟んで対向配置された各連結部１３４には、永久磁石１６４の磁力により当該永久磁石１６４に向けて吸引及び吸着される磁性手段として、鉄片などの強磁性体１６６が設けられている。強磁性体１６６は各連結部１３４に対して１対１で対応させて内蔵されており、連結部１３４が１８０°間隔で２箇所に形成されていることに伴って、強磁性体１６６も１８０°間隔で２箇所に設けられている。
【００５９】
出力軸１６２がハウジング１１１の裏面側から隔壁貫通孔１４４内に遊挿されていることにより、永久磁石１６４の磁力によって、図８に示すように、一対の永久磁石１６４の一方が一対の強磁性体１６６の一方と対向するとともに、一対の永久磁石１６４の他方が一対の強磁性体１６６の他方と対向することとなる。この状態が永久磁石１６４に向けて強磁性体１６６が吸着した状態であり、図８では浮きユニット１２１の自然状態に対応した位置となるように出力軸１６２の回転位置が調整されている。
【００６０】
ここで、図５に示すように、出力軸１６２の回転位置を検知するための位置検知手段として、位置検知センサ１７１が設けられている。当該位置検知センサ１７１は、土台１０３において出力軸１６２と対向する位置に発光部１７２を備えているとともに、浮きユニット１２１が自然状態に対応した位置となる出力軸１６２の回転位置にて発光部１７２と対向する位置に受光部１７３を備えている。当該位置検知センサ１７１からの検知結果により、演出用ユニット１００を駆動制御する制御装置では出力軸１６２の回転位置を把握することが可能となる。
【００６１】
なお、出力軸１６２の回転位置を検知することができるのであれば、位置検知手段の具体的な構成は光学式に限定されることはなく任意である。また、浮きユニット１２１が自然状態に対応した位置となる出力軸１６２の回転位置を検知する構成に限定されることはなく、例えば演出に際しての浮きユニット１２１の初期位置に対応した出力軸１６２の回転位置を検知する構成としてもよい。
【００６２】
次に、上記構成の演出用ユニット１００の動作について、図９を用いて説明する。
【００６３】
図９（ａ）では、出力軸１６２の回転位置が、浮きユニット１２１の自然状態に対応した位置に調整されている。より具体的には、一対の永久磁石１６４及び一対の強磁性体１６６が横方向（水平方向）に並ぶ位置に調整されている。この場合、浮き部材１２４は最大上端位置に配置されているとともに、浮力受け部１５２は界面１２０を跨いで下側層１１８及び上側層１１９の両側に亘って配置されている。
【００６４】
図９（ｂ）では、浮き部材１２４が最大上端位置に配置されている状態から出力軸１６２が正方向に回転し、当該出力軸１６２の回転に伴う永久磁石１６４の変位に対して当該永久磁石１６４の磁力により強磁性体１６６が吸引され、駆動受け部材１２２が出力軸１６２に追従して回転する。これにより、線状部材１２３が下方に若干沈み、それに伴って浮き部材１２４が下方に若干沈んでいる。この場合に、浮力受け部１５２には線状部材１２３に向けて先細りするテーパ面１５３が形成されていることにより、下側層１１８を横方に押し退け易くなっている。かかる位置においても浮力受け部１５２は、界面１２０を跨いで下側層１１８及び上側層１１９の両側に亘って配置されている。
【００６５】
ここで、下側層１１８を形成している液体の粘度及び上側層１１９を形成している液体の粘度は、駆動受け部材１２２の回転に対して浮き部材１２４が円滑に追従することが可能な粘度となっている。
【００６６】
また、図９（ａ）から図９（ｂ）のように駆動受け部材１２２が回転した場合、浮き部材１２４は下方に沈むだけでなく横方にも移動することとなる。この場合に、ハウジング１１１の内部空間には浮き部材１２４の横方への移動を所定範囲に制限するための範囲制限手段として、棒状の制限部材１７５が設けられている。
【００６７】
制限部材１７５は、ハウジング１１１の表面板部１１４から裏面板部１１５に亘って設けられている。また、当該制限部材１７５は、浮き部材１２４が最大上端位置に配置されている状態から出力軸１６２が正方向に回転し、浮力受け部１５２が界面１２０を跨いで下側層１１８及び上側層１１９の両側に亘って配置されている状況、より具体的には浮力受け部１５２のテーパ面１５３が界面を跨いで下側層１１８及び上側層１１９の両側に亘って配置されている状況において、線状部材１２３側の軸部１５１の先端側が横方から当接する位置に配置されている。浮き部材１２４の軸部１５１が当該制限部材１７５に横方から当接した後は、出力軸１６２の回転に伴って駆動受け部材１２２が正方向に回転したとしても、浮き部材１２４は横方への移動が制限され、縦方向の移動を主に行う。つまり、制限部材１７５により制限されることで、浮き部材１２４はその軸線が縦方向となった姿勢を維持しながら縦方向に移動する。
【００６８】
図９（ｃ）では、浮き部材１２４における線状部材１２３側の軸部１５１の先端側が制限部材１７５に横方から当接している状態から出力軸１６２が正方向に回転し、当該出力軸１６２の回転に伴う永久磁石１６４の変位に対して当該永久磁石１６４の磁力により強磁性体１６６が吸引され、駆動受け部材１２２が出力軸１６２に追従して回転する。これにより、線状部材１２３がより下方に沈み、それに伴って浮き部材１２４がより下方に沈んでいる。この場合、浮き部材１２４の横方への移動が既に制限部材１７５により制限されているため、軸部１５１の向きが鉛直方向から若干傾いてはいるものの、浮き部材１２４は制限部材１７５に沿って下方に移動している。かかる位置においては、浮力受け部１５２はその全体が下側層１１８内に入っている。また、当該位置では、一対の永久磁石１６４及び一対の強磁性体１６６が縦方向（鉛直方向）に並んでいる。
【００６９】
また、既に説明したとおり、出力軸１６２は正逆両方向に回転可能な構成であるため、図９（ｃ）→図９（ｂ）→図９（ａ）といったように、浮き部材１２４を上方に移動させることもできる。この場合、浮き部材１２４には、下側層１１８の液体及び上側層１１９の液体からの浮力により上方に押し上げる方向に常に付勢力が作用しているため、線状部材１２３が伸張された状態を維持しながら浮き部材１２４は上方に移動することとなる。
【００７０】
ちなみに、浮き部材１２４の上下の動きを演出として用いる際には、浮き部材１２４の横方の位置が制限部材１７５により制限された範囲において出力軸１６２を正逆両方向に回転させる構成としてもよい。つまり、図９（ｂ）に示す位置と図９（ｃ）に示す位置との間で、出力軸１６２を正逆両方向に回転させることで、遊技者に対して、浮き部材１２４が縦方向にのみ浮き沈みしている様子を視認させることができる。
【００７１】
上記のように浮き部材１２４が、図９（ａ）→図９（ｂ）→図９（ｃ）といったように下方に沈み、また図９（ｃ）→図９（ｂ）→図９（ａ）といったように上方に浮くことで、浮き部材１２４の浮力受け部１５２において下側層１１８に入り込む範囲が変動し、その際に下側層１１８が上側層１１９との界面１２０においてテーパ面１５３よって横方に押されたり、元に戻ったりすることで、当該界面１２０が波立つこととなる。つまり、本演出用ユニット１００では、浮き部材１２４の動きを遊技者に視認させることができるとともに、下側層１１８と上側層１１９との間の界面１２０の波立つ様子を遊技者に視認させることができる。
【００７２】
特に、単一の液体層の液面を波立たせるのではなく、複数の液体層の界面１２０を波立たせることにより、波立つ際の界面１２０の揺れがゆっくりしたものとなり、波立つ様子を遊技者に良好に視認させることができる。かかる構成において、下側層１１８が有色透明であるのに対して上側層１１９が無色透明であることにより、遊技者には液体の層が下側層１１８の一層のみであると認識される易くなり、上記のように波立つ際の界面１２０の揺れをゆっくりなものとしながら、一層の液体層の液面が波立っているように遊技者に認識させることが可能となる。この場合、あたかも川や海の液面に浮いている浮き部材１２４が、魚などに引っ張られて浮き沈みしているかのような印象を遊技者に与えることが可能となる。
【００７３】
次に、駆動受け部材１２２の回転に伴い浮き部材１２４が移動する場合のより詳細な動きについて、図１０（ａ）〜（ｄ）を用いて説明する。図１０（ａ）〜（ｄ）は、隔壁部１４１を挟んで対向する永久磁石１６４と強磁性体１６６との位置関係を簡略に示しており、説明の便宜上、隔壁部１４１を実際の外径よりも大きい状態で示している。なお、出力軸１６２は一定の回転速度で回転するように駆動制御される。
【００７４】
既に説明したように、駆動受け部材１２２の内側貫通孔１３５に対して隔壁部１４１が遊挿されているとともに、隔壁部１４１に遊挿された出力軸１６２が回転した場合には当該出力軸１６２に設けられた永久磁石１６４の磁力により駆動受け部材１２２に設けられた強磁性体１６６が吸引されることにより当該駆動受け部材１２２が回転する。この場合に、駆動受け部材１２２における内側環部１３２の内周面は隔壁部１４１の外周面上を摺動するため、駆動受け部材１２２には摩擦力が掛ることとなる。
【００７５】
かかる構成において、図１０（ａ）に示すように、永久磁石１６４が隔壁部１４１を挟んで強磁性体１６６の所定領域と対向する範囲に配置されている状態では、永久磁石１６４の吸引力の軸線周りの成分Ｋｍが、隔壁部１４１と駆動受け部材１２２との間の摩擦力（具体的には、静止摩擦力）を含め駆動受け部材１２２が回転しようとする方向に対して反対側への対抗力Ｋｒよりも小さい。この状態では、出力軸１６２が回転したとしても駆動受け部材１２２は回転しない。
【００７６】
その後、図１０（ｂ）に示すように、出力軸１６２がさらに回転し、強磁性体１６６の回転位置に対する永久磁石１６４の回転位置が追従可能距離を超えるまで離間されることにより、永久磁石１６４の吸引力の軸線周りの成分Ｋｍが上記対抗力Ｋｒよりも大きくなる。これにより、永久磁石１６４の回転位置に近付くように強磁性体１６６が吸引されることで、駆動受け部材１２２が隔壁部１４１上を摺動するようにして回転する。
【００７７】
この場合に、駆動受け部材１２２が回転を開始した際には、隔壁部１４１との間の摩擦力は静止摩擦力から動摩擦力に切り換わることで摩擦力自体は小さくなる一方、下側層１１８の液体の抵抗力が生じる。但し、当該摩擦力の減少分に比べ、液体の抵抗力の方が小さくなるように、駆動受け部材１２２が形成されている。
【００７８】
その後、図１０（ｃ）に示すように、強磁性体１６６の回転位置に対する永久磁石１６４の回転位置が追従可能距離未満となることにより、永久磁石１６４の吸引力の軸線周りの成分Ｋｍが上記対抗力Ｋｒよりも小さくなり、駆動受け部材１２２の回転速度は減速される。この場合、出力軸１６２の回転速度によっては駆動受け部材１２２は一端停止した状態となる。
【００７９】
また、図１０（ｂ）の位置から図１０（ｃ）の位置まで駆動受け部材１２２が回転した場合には、それに合わせて浮き部材１２４が沈むこととなるが、この場合に浮き部材１２４の下側層１１８への入り込み量が増大したとすると、上側層１１９に比べ下側層１１８の比重が大きいことに起因して、浮き部材１２４に掛る浮力が大きくなる。そうすると、浮き部材１２４を上方に引っ張る力が大きくなることに伴って駆動受け部材１２２を図１０（ａ）の位置に戻そうとする力が大きくなる。この場合、永久磁石１６４の磁力と下側層１１８及び上側層１１９から受ける浮力とが平衡状態となる際の永久磁石１６４に対する強磁性体１６６の相対位置が変わり、図１０（ｄ）に示すように、駆動受け部材１２２は出力軸１６２の回転方向とは逆方向に若干回転する。
【００８０】
上記図１０（ａ）〜（ｄ）に示す駆動受け部材１２２の動きに対応した浮き部材１２４の動きの様子を図１１に示す。図１１（ａ）は出力軸１６２の回転量を示し、図１１（ｂ）は浮き部材１２４の変位量を示す。なお、図１１（ａ），（ｂ）は出力軸１６２が正方向に回転し、浮き部材１２４が基本的に沈んでいく様子を示す。
【００８１】
出力軸１６２及び浮き部材１２４の両方が停止している状況においてｔ１のタイミングで、出力軸１６２が一定の回転速度で回転を開始する。この場合、図１０（ａ）を用いて説明したように、出力軸１６２に設けられた永久磁石１６４による吸引力に比べ、出力軸１６２の回転方向とは逆方向への対抗力が大きいため、駆動受け部材１２２は停止している状態を維持し、浮き部材１２４はその場で待機する。
【００８２】
その後、ｔ２のタイミングで、図１０（ｂ）を用いて説明したように、強磁性体１６６に対する永久磁石１６４の相対距離が追従可能距離に達することで対抗力に比べ吸引力が大きくなり、駆動受け部材１２２が出力軸１６２に追従して回転を開始し、それに伴って浮き部材１２４が下方に沈む。その後、図１０（ｃ）を用いて説明したように、駆動受け部材１２２の追従に伴って強磁性体１６６に対する永久磁石１６４の相対距離が縮まり吸引力に比べ対抗力が大きくなることで、駆動受け部材１２２が減速を開始する。
【００８３】
また、浮き部材１２４が下方へ沈み込むことに伴って浮力受け部１５２の下側層１１８に入り込んでいる領域が広くなる。これにより、図１０（ｄ）を用いて説明したように、浮き部材１２４にかかる浮力が大きくなり、永久磁石１６４の吸引力と液体からの浮力との平衡状態となる位置が変わる。よって、駆動受け部材１２２が逆方向に若干回転し、それに伴ってｔ３のタイミングからｔ４のタイミングで示すように、浮き部材１２４が浮力を受けている方向である上方に若干移動する。
【００８４】
また、駆動受け部材１２２が回転した場合には、駆動受け部材１２２や浮き部材１２４に対する慣性力により線状部材１２３が若干緩んだ状態となることが想定される。この場合、液体の浮力によって線状部材１２３が再度、伸張状態となる際に、浮き部材１２４が浮力を受けている方向である上方に若干移動するものと考えられる。この点からも、ｔ３のタイミングからｔ４のタイミングで示すように、浮き部材１２４が浮力を受けている方向である上方に若干移動することが想定される。なお、当該動作を前提とすれば、浮力を受けている方向である上方に浮き部材１２４を若干移動させるためには、少なくとも一層の液体の層が形成されていればよい。
【００８５】
その後、強磁性体１６６に対する永久磁石１６４の相対距離が追従可能距離に達するまでの期間であるｔ４のタイミングからｔ５のタイミングまで駆動受け部材１２２が停止するとともに、浮き部材１２４はその場で待機する。ちなみに、永久磁石１６４による強磁性体１６６の吸着力は、浮き部材１２４の移動可能範囲においていずれの位置に浮き部材１２４が配置されたとしても浮き部材１２４が液体から受ける浮力よりも大きくなるように設定されている。したがって、浮き部材１２４が出力軸１６２の回転に全く追従しなくなるという現象が起こらないようになっている。
【００８６】
その後、ｔ２のタイミング〜ｔ５のタイミングの動作を繰り返すことで、出力軸１６２の回転量の増加に伴って、浮き部材１２４の下方への変位量が増加していく。
【００８７】
なお、浮き部材１２４が最大上端位置に配置されている状態から、出力軸１６２が逆方向に所定の回転速度で回転する場合も、浮き部材１２４は同様の動きをする。また、浮き部材１２４の全体が下側層１１８に入り込んでいる状態から出力軸１６２が浮き部材１２４を最大上端位置に向けて移動させる方向に所定の回転速度で回転した場合には、少なくとも浮き部材１２４の断続的な動きは発生する。
【００８８】
次に、遊技盤２４に設置されている演出用ユニット１００の遊技者にとって視認可能は範囲について、図４及び図５を用いて説明する。
【００８９】
図５に示すように、演出用ユニット１００は、可動演出ブロック１０１及び駆動ブロック１０２のうち、可動演出ブロック１０１がパチンコ機１０前側となるように設置され、その状態で土台１０３が遊技盤２４の設置部１８１に固定されている。また、この設置箇所は、図４に示すように、可動演出ブロック１０１の表面板部１１４が図柄表示装置４１の表示画面と隣接する位置となっている。
【００９０】
この場合に、図５に示すように、センターフレーム４２には、可動演出ブロック１０１において注入口１１６及びキャップ１１７が設けられた領域を含む上部領域１８２に対してパチンコ機１０前方にて対向し、当該上部領域１８２をパチンコ機１０前方から隠す上側遮蔽部１８３が形成されている。これにより、遊技者にとって注入口１１６及びキャップ１１７やハウジング１１１の上縁を視認しづらくなる。
【００９１】
また、センターフレーム４２には、可動演出ブロック１０１の隔壁部１４１及び駆動受け部材１２２と駆動ブロック１０２とを含めた駆動機構が設けられた領域を含む下部領域１８４に対してパチンコ機１０にて対向し、当該下部領域１８４をパチンコ機１０前方から隠す下側遮蔽部１８５が形成されている。これにより、遊技者にとっては駆動機構やハウジング１１１の下縁を視認しづらくなる。
【００９２】
特に、可動演出ブロック１０１において隔壁部１４１及び駆動受け部材１２２はその全体が、着色された液体が封入された下側層１１８の領域に対して設けられており、さらに駆動ブロック１０２は当該下側層１１８の後方に配置されている。したがって、遊技者が上側遮蔽部１８３と下側遮蔽部１８５との間の領域の延長線上から可動演出ブロック１０１を見下ろしたとしても、上記駆動機構は視認しづらいものとなる。
【００９３】
また、図示による説明は省略するが、センターフレーム４２には、可動演出ブロック１０１のハウジング１１１の左右両縁を隠すための遮蔽部も形成されている。
【００９４】
その一方、浮き部材１２４の少なくとも演出時における移動範囲は、上側遮蔽部１８３及び下側遮蔽部１８５を含めた各遮蔽部と対向する領域に含まれていない。そして、可動演出ブロック１０１のハウジング１１１が、当該ハウジング１１１の外部から浮き部材１２４を視認可能となるように無色透明に形成されていることにより、遊技者は浮き部材１２４の動きを視認することができるとともに、下側層１１８と上側層１１９との間の界面１２０が波立つ様子を視認することができる。
【００９５】
次に、演出用ユニット１００の組み立て工程について簡単に説明する。
【００９６】
先ず、表側筒部１４２又は裏側筒部１４３の先端を駆動受け部材１２２の内側貫通孔１３５に挿通した状態で、表ケース１１２と裏ケース１１３とを組み合わせ、両ケース１１２，１１３を固定する。この際、両ケース１１２，１１３の境界の接着も合わせて行う。この場合、駆動受け部材１２２は隔壁部１４１における一対の位置規制環部１４５間に配置される。
【００９７】
その後、注入口１１６から重側液体をハウジング１１１内に注入するとともに、軽側液体をハウジング１１１内に注入した後に、注入口１１６をキャップ１１７により塞ぐ。これにより、可動演出ブロック１０１の組み立てが完了する。この場合、ハウジング１１１内において下側層１１８と上側層１１９とからなる２重の液体の層が形成されるとともに、浮き部材１２４が浮力を受けることで、浮きユニット１２１は自然状態となる。そして、当該可動演出ブロック１０１を土台１０３に固定する。
【００９８】
その後、隔壁部１４１の隔壁貫通孔１４４内に出力軸１６２が遊挿されるように駆動ブロック１０２を土台１０３上に配置し、その状態で駆動ブロック１０２を土台１０３に固定する。これにより、演出用ユニット１００の組み立てが完了する。なお、駆動ブロック１０２や可動演出ブロック１０１のメンテナンスに際しては、それぞれを土台１０３から取り外すことで当該メンテナンスを行うことができる。
【００９９】
その後、土台１０３を遊技盤２４の設置部１８１に固定することで、演出用ユニット１００の遊技盤２４に対する設置が完了する。
【０１００】
ここで、パチンコ機１０が製造場所から遊技ホールなどに搬送される場合には、演出用ユニット１００が設置された状態で当該搬送が行われる。この場合に、可動演出ブロック１０１のハウジング１１１の内部空間にはその略全体に亘って液体が封入されている。したがって、搬送時にパチンコ機１０が傾けられたりしたとしても、浮き部材１２４がハウジング１１１の内壁に勢いよく衝突してしまうことが抑えられ、搬送時における浮き部材１２４などの破損が抑制される。
【０１０１】
次に、パチンコ機１０の電気的構成について、図１２のブロック図に基づいて説明する。図１２では、電力の供給ラインを二重線矢印で示し、信号ラインを実線矢印で示す。
【０１０２】
主制御装置８１に設けられた主制御基板２０１には、ＭＰＵ２０２が搭載されている。ＭＰＵ２０２には、当該ＭＰＵ２０２により実行される各種の制御プログラムや固定値データを記憶したＲＯＭ２０３と、そのＲＯＭ２０３内に記憶される制御プログラムの実行に際して各種のデータ等を一時的に記憶するためのメモリであるＲＡＭ２０４と、割込回路やタイマ回路、データ入出力回路などの各種回路が内蔵されている。
【０１０３】
ＭＰＵ２０２には、入力ポート及び出力ポートがそれぞれ設けられている。ＭＰＵ２０２の入力側には、主制御装置８１に設けられた停電監視基板２０５、払出制御装置９７及びその他図示しないスイッチ群などが接続されている。この場合に、停電監視基板２０５には電源及び発射制御装置９８が接続されており、ＭＰＵ２０２には停電監視基板２０５を介して電力が供給される。また、スイッチ群の一部として、作動口３３，３４及び可変入賞装置３２などといった入球部に設けられた複数の検知センサが接続されており、主制御装置８１のＭＰＵ２０２において入球部への入球判定が行われる。また、ＭＰＵ２０２では、入球部のうち作動口３３，３４への入球に基づいて大当たり発生抽選を実行する。
【０１０４】
ここで、ＭＰＵ２０２にて大当たり発生抽選等を行う上での電気的な構成について図１３を用いて説明する。
【０１０５】
ＭＰＵ２０２は遊技に際し各種カウンタ情報を用いて、大当たり発生抽選、第１特定ランプ部４３の発光色の設定や、図柄表示装置４１の図柄表示の設定などを行うこととしており、具体的には、大当たり発生の抽選に使用する大当たり乱数カウンタＣ１と、確変大当たり状態や通常大当たり状態等の大当たり種別を判定する際に使用する大当たり種別カウンタＣ２と、図柄表示装置４１が外れ変動する際のリーチ抽選に使用するリーチ乱数カウンタＣ３と、大当たり乱数カウンタＣ１の初期値設定に使用する乱数初期値カウンタＣＩＮＩと、第１特定ランプ部４３に表示される色の切り替えを行う期間及び図柄表示装置４１における図柄の変動表示時間を決定する変動種別カウンタＣＳとを用いることとしている。
【０１０６】
これらカウンタＣ１〜Ｃ３，ＣＩＮＩ，ＣＳは、その更新の都度前回値に１が加算され、最大値に達した後０に戻るループカウンタとなっている。各カウンタは短時間間隔で更新され、その更新値がＲＡＭ２０４の所定領域に設定されたカウンタ用バッファに適宜格納される。ＲＡＭ２０４には、１つの実行エリアと４つの保留エリア（保留第１〜第４エリア）とからなる保留球格納エリアが設けられており、これらの各エリアには、作動口３３，３４への遊技球の入球履歴に合わせて、大当たり乱数カウンタＣ１、大当たり種別カウンタＣ２及びリーチ乱数カウンタＣ３の各値が時系列的に格納されるようになっている。
【０１０７】
各カウンタについて詳しくは、大当たり乱数カウンタＣ１は、例えば０〜６７６の範囲内で順に１ずつ加算され、最大値に達した後０に戻る構成となっている。特に大当たり乱数カウンタＣ１が１周した場合、その時点の乱数初期値カウンタＣＩＮＩの値が当該大当たり乱数カウンタＣ１の初期値として読み込まれる。なお、乱数初期値カウンタＣＩＮＩは、大当たり乱数カウンタＣ１と同様のループカウンタである（値＝０〜６７６）。大当たり乱数カウンタＣ１は定期的に更新され、遊技球が作動口３３，３４に入球したタイミングでＲＡＭ２０４の保留球格納エリアに格納される。つまり、本パチンコ機１０（具体的には、ＭＰＵ２０２）は、所定の抽選開始条件の成立に基づいて大当たり状態の発生の有無を抽選する大当たり発生抽選手段を備えている。
【０１０８】
大当たり種別カウンタＣ２は、０〜４９の範囲内で順に１ずつ加算され、最大値に達した後０に戻る構成となっている。そして、本実施の形態では、大当たり種別カウンタＣ２によって、大当たり状態が終了した後に、確変状態（高確率状態）とするか通常状態（低確率状態）とするかを決定することとしている。大当たり種別カウンタＣ２は定期的に更新され、遊技球が作動口３３，３４に入球したタイミングでＲＡＭ２０４の保留球格納エリアに格納される。つまり、本パチンコ機１０（具体的には、ＭＰＵ２０２）は、所定の抽選開始条件の成立に基づいて大当たり状態の種別を抽選する大当たり種別抽選手段を備えている。
【０１０９】
ここで、確変状態とは、大当たり状態の終了後において予め定められた終了条件が成立するまで、大当たり状態の発生確率が通常状態よりも高くなる遊技状態のことをいう。具体的には、通常状態では、大当たり状態が発生することとなる乱数の値の数は２個で、その値は「３３７，６７３」であり、確変状態では、大当たり状態が発生することとなる乱数の値の数は１０個で、その値は「６７，１３１，１９９，２６９，３３７，４０１，４６３，５２３，６０１，６６１」である。
【０１１０】
また、本パチンコ機１０では、大当たり状態の終了後に通常状態となる通常大当たり状態（第１特別遊技状態）と、大当たり状態の終了後に確変状態となる確変大当たり状態（第２特別遊技状態）とで、図柄表示装置４１の表示画面において変動表示後に停止表示される図柄の態様が異なっている。具体的には、通常大当たり状態が発生する場合には第１特別表示結果としての通常大当たり図柄の組み合わせ（より具体的には、同一の偶数が付された図柄の組み合わせ）が停止表示され、確変大当たり状態が発生する場合には第２特別表示結果としての確変大当たり図柄の組み合わせ（より具体的には、同一の奇数が付された図柄の組み合わせ）が停止表示される。
【０１１１】
リーチ乱数カウンタＣ３は、例えば０〜２３８の範囲内で順に１ずつ加算され、最大値に達した後０に戻る構成となっている。リーチ乱数カウンタＣ３は定期的に更新され、遊技球が作動口３３，３４に入球したタイミングでＲＡＭ２０４の保留球格納エリアに格納される。つまり、本パチンコ機１０（具体的には、ＭＰＵ２０２）は、所定の抽選開始条件の成立に基づいてリーチ表示の発生の有無を抽選するリーチ発生抽選手段を備えている。
【０１１２】
ここで、リーチ表示（リーチ状態）とは、図柄（絵柄）の変動表示（又は可変表示）を行うことが可能な図柄表示装置４１を備え、変動表示後の停止表示結果が特別表示結果となった場合に、遊技状態が遊技者に有利な特別遊技状態となる遊技機において、図柄表示装置４１における図柄（絵柄）の変動表示（又は可変表示）が開始されてから停止表示結果が導出表示される前段階で、前記特別表示結果となり易い変動表示状態であると遊技者に思わせるための表示状態をいう。
【０１１３】
換言すれば、図柄表示装置４１の表示画面に表示される複数の図柄列のうち一部の図柄列について図柄を停止表示させることで、大当たり状態の発生に対応した大当たり図柄の組み合わせが成立する可能性があるリーチ図柄の組み合わせを表示し、その状態で残りの図柄列において図柄の変動表示を行う表示状態のことである。
【０１１４】
より具体的には、図柄の変動表示を終了させる前段階として、図柄表示装置４１の表示画面内の予め設定された有効ライン上に、大当たり状態の発生に対応した大当たり図柄の組み合わせが成立する可能性のあるリーチ図柄の組み合わせを停止表示させることによりリーチラインを形成させ、当該リーチラインが形成されている状況下において最終停止図柄列により図柄の変動表示を行うことである。
【０１１５】
また、リーチ表示には、上記のようにリーチ図柄の組み合わせを表示した状態で、残りの図柄列において図柄の変動表示を行うとともに、その背景画面において所定のキャラクタなどを動画として表示することによりリーチ演出を行うものや、リーチ図柄の組み合わせを縮小表示させる又は非表示とした上で、表示画面の略全体において所定のキャラクタなどを動画として表示することによりリーチ演出を行うものが含まれる。
【０１１６】
変動種別カウンタＣＳは、例えば０〜１９８の範囲内で順に１ずつ加算され、最大値に達した後０に戻る構成となっている。変動種別カウンタＣＳによって、第１特定ランプ部４３に表示される色の切り替えを行う時間としての切替表示時間が決定される。この切替表示時間は、図柄表示装置４１の図柄の変動表示時間に相当する。変動種別カウンタＣＳは、所定の更新タイミングとなることにより更新され、第１特定ランプ部４３に表示される色の切り替え開始時及び図柄表示装置４１による図柄の変動開始時に際して変動種別カウンタＣＳのバッファ値が取得される。
【０１１７】
図１２の説明に戻り、ＭＰＵ２０２の出力側には、停電監視基板２０５、払出制御装置９７及び音声ランプ制御装置８２が接続されている。払出制御装置９７には、例えば、上記入球部への入球判定結果に基づいて賞球コマンドが出力される。
【０１１８】
音声ランプ制御装置８２には、変動用コマンド、種別コマンド、停止表示コマンド、大当たり開始コマンド及び大当たり終了コマンドなどの各種コマンドが出力される。
【０１１９】
ここで、変動用コマンド及び種別コマンドは、保留球格納エリアに格納されている情報に基づいて第１特定ランプ部４３における切換表示を開始する場合に、音声ランプ制御装置８２に出力される。この場合、変動用コマンドには、図柄の変動表示時間、大当たり発生の有無の情報、リーチ表示の有無の情報などが含まれており、種別コマンドには、停止表示させる図柄の種類の情報が含まれている。
【０１２０】
ちなみに、変動用コマンド及び種別コマンドは、保留球格納エリアに格納されている保留情報について大当たり抽選などを行った後に出力されるが、これに限定されることはなく、大当たり抽選などを行うのに先立ち変動用コマンドを出力するとともに、大当たり抽選などを行った後に種別コマンドを出力する構成としてもよい。この場合、変動用コマンドを図柄の変動表示の開始契機を知らせるための情報として機能させるとともに、種別コマンドに、図柄の変動表示時間、大当たり発生の有無の情報、リーチ表示の有無の情報及び停止表示させる図柄の種類の情報などが含まれる構成とするとよい。
【０１２１】
また、停止表示コマンドは、第１特定ランプ部４３における切換表示を終了する場合に、音声ランプ制御装置８２に出力される。また、大当たり開始コマンドは、大当たり状態に移行する場合に、音声ランプ制御装置８２に出力される。また、大当たり終了コマンドは、大当たり状態が終了する場合に、音声ランプ制御装置８２に出力される。
【０１２２】
また、ＭＰＵ２０２の出力側には、可変入賞装置３２に設けられた駆動部などが接続されており、大当たり状態においては当該駆動部の駆動制御が実行され、可変入賞装置３２の開閉が実行される。このように大当たり状態において可変入賞装置３２の開閉が実行されることにより多数の遊技球が遊技者に払い出されることとなる。つまり、特別遊技状態としての大当たり状態を、通常遊技状態よりも遊技者に有利な状態とすることができる。
【０１２３】
停電監視基板２０５は、主制御基板２０１と電源及び発射制御装置９８とを中継し、また電源及び発射制御装置９８から出力される最大電圧である直流安定２４ボルトの電圧を監視する。
【０１２４】
払出制御装置９７は、払出装置９６により賞球や貸し球の払出制御を行うものであり、上記賞球コマンドを入力した場合には、その賞球コマンドに対応した数の遊技球が払い出されるように払出装置９６を駆動制御する。換言すれば、払出制御装置９７は、賞球コマンドを入力した場合には、払出制御処理を実行して払出装置９６を駆動制御することで、賞球コマンドに対応した数の遊技球を払い出す。つまり、本パチンコ機１０は、遊技結果に基づいて遊技球の払出を実行する払出機能を有している。
【０１２５】
電源及び発射制御装置９８は、例えば、遊技場等における商用電源（外部電源）に接続されている。そして、その商用電源から供給される外部電力に基づいて主制御基板２０１や払出制御装置９７等に対して各々に必要な動作電力を生成するとともに、その生成した動作電力を二重線矢印で示す経路を通じて供給する。また、電源及び発射制御装置９８は、遊技球発射機構５３の発射制御を担うものであり、遊技球発射機構５３は所定の発射条件が整っている場合に駆動される。
【０１２６】
音声ランプ制御装置８２は、主制御基板２０１から入力した各種コマンドに基づいて前扉枠１４に設けられたスピーカ部や発光部を駆動制御するとともに、表示制御装置２１０を制御するものである。表示制御装置２１０を制御する上では、音声ランプ制御装置８２は、主制御装置８１から入力した変動用コマンド、種別コマンド、停止表示コマンド、大当たり開始コマンド及び大当たり終了コマンドなどの各種コマンドを、その情報形態を維持した状態で表示制御装置２１０に出力する。
【０１２７】
表示制御装置２１０に設けられた表示制御基板２１１には、ＭＰＵ２１２が搭載されている。ＭＰＵ２１２には、当該ＭＰＵ２１２により実行される各種の制御プログラムや固定値データを記憶したＲＯＭ２１３と、そのＲＯＭ２１３内に記憶される制御プログラムの実行に際して各種のデータ等を一時的に記憶するためのメモリであるＲＡＭ２１４と、割込み回路やタイマ回路、データ入出力回路などの各種回路が内蔵されている。
【０１２８】
ＭＰＵ２１２には、入力ポート及び出力ポートがそれぞれ設けられている。ＭＰＵ２１２の入力側には、音声ランプ制御装置８２が接続されているとともに、演出用ユニット１００に設けられた位置検知センサ１７１が接続されている。また、ＭＰＵ２１２の出力側には、図柄表示装置４１が接続されているとともに、演出用ユニット１００に設けられた駆動回路２１６が接続されている。なお、駆動回路２１６は演出用ユニット１００において土台１０３上に設けられており、当該駆動回路２１６は駆動ブロック１０２の本体部１６１と接続されている。
【０１２９】
ＭＰＵ２１２では、主制御装置８１から出力され音声ランプ制御装置８２を経由して出力されてくる演出用コマンド（変動用コマンド、種別コマンド、停止表示コマンド、大当たり開始コマンド及び大当たり終了コマンド等）を入力するとともに、入力コマンドを解析し又は入力コマンドに基づき所定の演算処理を行って図柄表示装置４１の表示制御を実行する。
【０１３０】
具体的には、変動用コマンド及び種別コマンドを入力した場合に、該当する遊技回における図柄の変動表示パターンや図柄の停止結果を決定して図柄表示装置４１における図柄の変動表示を開始させるとともに、その変動表示パターンが実行された後に図柄の停止結果を表示した状態で図柄の変動表示を終了させる。停止結果を表示する場合には、上記通常大当たり状態が発生することとなる遊技回においては通常大当たり図柄の組み合わせを表示させ、上記確変大当たり状態が発生することとなる遊技回においては確変大当たり図柄の組み合わせを表示させる。また、変動表示パターンは複数種類設定されており、それらの中には例えば上述したリーチ表示やリーチ演出が含まれる変動表示パターンが設定されている。
【０１３１】
ここで、本パチンコ機１０では、図柄表示装置４１における図柄の変動表示に合わせて演出用ユニット１００において浮き部材１２４が浮き沈みする演出が実行されることがある。当該演出の実行タイミングとしては、例えばリーチ表示が行われることを示唆するためのリーチ示唆演出が設定されており、またリーチ表示中に行われるリーチ対応演出が設定されている。また、図柄の変動表示の終了に際して通常大当たり図柄の組み合わせを表示させた後に確変大当たり図柄の組み合わせに切り換える昇格演出が図柄表示装置４１にて行われることに前後して又はその最中に行われる昇格対応演出が設定されている。さらには、図柄の変動表示の終了に際して通常大当たり図柄の組み合わせを表示させた後に、大当たり状態中に確変大当たりであることを示す大当たり中演出が図柄表示装置４１にて行われることに前後して又はその最中に行われる大当たり中対応演出が設定されている。つまり、表示制御装置２１０のＭＰＵ２１２は、図柄表示装置４１における表示状況に対応させて、演出用ユニット１００を動作させる演出制御手段を備えている。
【０１３２】
かかる演出制御に際しては、表示制御装置２１０のＭＰＵ２１２は、位置検知センサ１７１にて出力軸１６２の回転位置を把握する。また、本体部１６１に向けて正方向用の駆動信号を出力することで出力軸１６２を正方向に回転させる。この場合、出力軸１６２が一定の回転速度で正方向に回転するように、正方向用の駆動信号を出力する。但し、出力軸１６２が一定の回転速度で正方向に回転することは必須ではなく、回転速度を変動させながら正方向に回転する構成としてもよい。また、本体部１６１に向けて逆方向用の駆動信号を出力することで出力軸１６２を逆方向に回転させる。この場合、出力軸１６２が一定の回転速度で逆方向に回転するように、逆方向用の駆動信号を出力する。但し、出力軸１６２が一定の回転速度で逆方向に回転することは必須ではなく、回転速度を変動させながら逆方向に回転する構成としてもよい。
【０１３３】
なお、上記各演出は全て実行されることは必須ではなく、上記各演出の一部のみが実行される構成としてもよい。また、浮き部材１２４の動作継続時間や動作速度が、上記各演出に応じて異なるように設定されていてもよい。この場合、各演出に応じた動作継続時間情報や動作速度情報が、演出情報記憶手段としての機能を有するＲＯＭ２１３に予め記憶させておく必要がある。
【０１３４】
以上詳述した本実施の形態によれば、以下の優れた効果を奏する。
【０１３５】
演出用ユニット１００において、駆動受け部材１２２の内側貫通孔１３５に対して隔壁部１４１が遊挿されているとともに、隔壁部１４１に遊挿された出力軸１６２が回転した場合には当該出力軸１６２に設けられた永久磁石１６４の磁力により駆動受け部材１２２に設けられた強磁性体１６６が吸引されることにより当該駆動受け部材１２２が回転する構成とした。かかる構成では、永久磁石１６４の吸引力における駆動受け部材１２２の回転方向の成分が、永久磁石１６４に対する強磁性体１６６の相対距離に応じて、隔壁部１４１と駆動受け部材１２２との間の摩擦力を含め駆動受け部材１２２が回転しようとする方向に対して反対側への対抗力に対して大小する。よって、出力軸１６２の回転に対して駆動受け部材１２２が追従して回転する場合に当該駆動受け部材１２２が回転速度を変動させながら回転する。これにより、駆動受け部材１２２に線状部材１２３を介して連結された浮き部材１２４の動きが不規則なものとなり、演出用ユニット１００の動作が斬新なものとなる。
【０１３６】
また、永久磁石１６４による吸引力と、隔壁部１４１及び駆動受け部材１２２間の摩擦力との設定により、駆動受け部材１２２が回転速度を変動させながら回転する構成であるため、出力軸１６２において回転速度を変動させる必要がない。よって、回転速度を変更可能な駆動ブロック１０２を用いることなく又は出力軸１６２の回転速度を変動させるための駆動制御を行わなくても上記効果を奏することができる。つまり、汎用的な駆動手段を用いながら又は駆動制御に際しての処理負荷の軽減を図りながら、上記効果を奏することができる。
【０１３７】
上記吸引力を永久磁石１６４と強磁性体１６６との組み合わせにより生じさせるようにしたことにより、構成の簡素化を図りつつ上記のような優れた効果を奏することができる。また、本構成によれば、隔壁部１４１の隔壁貫通孔１４４内に出力軸１６２を挿入した場合には磁気的な吸引力により出力軸１６２に駆動受け部材１２２が引き寄せられるため、隔壁貫通孔１４４内に出力軸１６２を挿入することで出力軸１６２に対して駆動受け部材１２２が自ずと追従可能な状態となる。
【０１３８】
浮き部材１２４は液体が封入されたハウジング１１１内に収容されており、浮き部材１２４の移動範囲には、下側層１１８と上側層１１９との界面１２０を跨ぐように配置された位置から下側層１１８内に沈む方向に移動する移動範囲が含まれている。これにより、浮き部材１２４はハウジング１１１内に封入された液体から受ける浮力により駆動受け部材１２２側とは反対側に付勢されることとなり、駆動受け部材１２２が初期位置に復帰した場合に、当該動作に浮き部材１２４が追従し易くなる。
【０１３９】
また、上記のように浮き部材１２４の移動範囲が設定されていることにより、出力軸１６２の回転に駆動受け部材１２２が追従した場合には浮き部材１２４の動きを遊技者に視認させることができるだけでなく、界面１２０が波立つ様子を遊技者に視認させることができる。つまり、本構成によれば、浮き部材１２４に付勢力を付与する付勢手段として液体を用いたことにより、出力軸１６２を出力状態とすることで浮き部材１２４が動作するとともに界面１２０が波立つこととなり、１種類の出力により複数の視的効果を遊技者に提供することができる。
【０１４０】
また、上記のとおり駆動受け部材１２２は回転速度を変動させながら出力軸１６２に追従して回転し、それに伴って浮き部材１２４は不規則な動きをすることとなるため、界面１２０が波立ち易くなる。
【０１４１】
また、上記のように浮き部材１２４が移動する場合には、浮き部材１２４が沈むほど浮力が増加することとなる。この場合、浮き部材１２４は駆動受け部材１２２の回転に対して単に引っ張られて動くだけでなく、それとは反対側に戻る動きも行うこととなる。これにより、浮き部材１２４の動きを不規則なものとすることが可能となる。
【０１４２】
隔壁部１４１は、ハウジング１１１において当該ハウジング１１１の内部空間（すなわち、液室）に対して隔壁貫通孔１４４を区画するように形成されており、さらに駆動受け部材１２２はハウジング１１１の内部空間内に設けられているとともに隔壁部１４１において隔壁貫通孔１４４を区画する壁部を隔壁貫通孔１４４の軸線周りに囲む環状に形成されている。これにより、浮き部材１２４を動作させる構成のコンパクト化を図りながら、既に説明したような優れた効果を奏することができる。
【０１４３】
また、隔壁部１４１や駆動受け部材１２２をハウジング１１１の外部に設ける構成に比べ好ましい構成となる。つまり、隔壁部１４１や駆動受け部材１２２がハウジング１１１の外部に設けられた構成においては、例えば線状部材１２３をハウジング１１１の内外に貫通させる必要が生じる。そうすると、ハウジング１１１におけるその貫通箇所から液体が漏れないようにするための構成を別途設ける必要が生じる。これに対して、本パチンコ機１０の構成によれば上記のような貫通箇所を設ける必要がないため、構成の簡素化を図ることが可能となる。
【０１４４】
＜第２の実施の形態＞
本実施の形態では、演出用ユニット１００の設置箇所における構成が上記第１の実施の形態と異なっている。本実施の形態における設置箇所に係る構成について、図１４を用いて説明する。なお、上記第１の実施の形態と同一の構成については、その説明を基本的に省略する。
【０１４５】
図１４に示すように、木製の遊技盤２２１の裏面側には合成樹脂製の裏側集合板２２２が設けられている。当該裏側集合板２２２において遊技盤２２１側とは反対側に主制御装置８１が搭載されている。また、裏側集合板２２２には、図示は省略するが、作動口３３，３４等に入賞した遊技球をパチンコ機１０の外部に排出するための排出通路などが設けられている。裏側集合板２２２には、パチンコ機１０後方に突出するようにして設置部２２３が設けられており、当該設置部２２３上に演出用ユニット１００が設置されている。
【０１４６】
設置部２２３には、上下方向に貫通する設置側貫通孔２２４が複数形成されているとともに、演出用ユニット１００の土台２２５には上下方向に貫通する土台側貫通孔２２６が各設置側貫通孔２２４に対して１対１で連通するように複数形成されている。また、設置部２２３の下方には、設置側貫通孔２２４及び土台側貫通孔２２６の各組み合わせの全てと連通する液体通路部２２７が形成されている。この場合に、設置部２２３の下方には主制御装置８１を含めパチンコ機１０の他の構成部品が設けられているが、液体通路部２２７はこれら他の構成部品との干渉を避けるように形成されている。液体通路部２２７は、パチンコ機１０の下部に設けられた図示しない液体排出部に通じている。なお、当該液体排出部はパチンコ機１０に設けられている必要はなく、例えば遊技ホールの島設備に設けられている構成としてもよい。
【０１４７】
上記構成であることにより、演出用ユニット１００の老朽化や破損により、ハウジング１１１内に封入された液体が漏れ出たとしても、当該液体は、液体通路部２２７を通じて液体排出部に排出される。よって、漏れ出た液体が主制御装置８１などの電気部品にかかり、当該電気部品が破損してしまうことが抑制される。また、設置部２２３は木製の遊技盤２２１ではなく、合成樹脂製の裏側集合板２２２に設けられているため、漏れ出た液体が遊技盤２２１に染み込みづらくなる。
【０１４８】
ちなみに、液体通路部２２７と主制御装置８１との間には、演出用ユニット１００の設置箇所を主制御装置８１の設置箇所に対して隔離するための仕切板２２８が設けられている。これにより、上記漏れ出た液体が液体通路部２２７にて回収されなかったとしても、当該漏れ出た液体が主制御装置８１にかかりづらくなる。
【０１４９】
＜第３の実施の形態＞
本実施の形態では、演出用ユニットの構成が上記第１の実施の形態と異なっている。本実施の形態における演出用ユニット２３０の構成について、図１５を用いて説明する。図１５（ａ）は演出用ユニット２３０の構成を説明するための正面図、図１５（ｂ）は図１５（ａ）のＡ―Ａ線断面図である。
【０１５０】
図１５（ａ）に示すように、演出用ユニット２３０は、合成樹脂製のベース板２３１を備えているとともに、当該ベース板２３１の表面に設けられた可動ユニット２３２と、ベース板２３１の裏面に設けられた駆動ユニット２３３と、を備えている。
【０１５１】
可動ユニット２３２は、ベース板２３１上において所定の一辺に沿うようにして設けられた表面側レール２４１に沿ってベース板２３１上を摺動可能に設けられた駆動受け部材２４２と、当該駆動受け部材２４２に対して線状部材２４３を介して連結された演出可動物２４４と、当該演出可動物２４４を駆動受け部材２４２側とは反対側に向けて付勢する付勢部材２４５と、を備えている。付勢部材２４５は途中位置につるまきバネが設けられてなり、演出可動物２４４に固定された側の端部とは反対側の端部が、ベース板２３１において表面側レール２４１が設けられた側とは反対側の一辺に偏倚させた位置に固定されている。図１５（ａ）において実線にて示す位置から二点鎖線にて示す位置に駆動受け部材２４２が表面側レール２４１に沿って摺動した場合には、付勢部材２４５が初期位置の状態よりも伸張することで演出可動物２４４が駆動受け部材２４２に追従して移動する。
【０１５２】
駆動ユニット２３３は、図１５（ｂ）に示すように、ベース板２３１の裏面において当該ベース板２３１を挟んで表面側レール２４１と対向するように設けられた裏面側レール２５１と、当該裏面側レール２５１に沿ってスライド移動する駆動部２５２と、を備えている。裏面側レール２５１の長さ方向の両端の一方には図示しない駆動ローラが設けられているとともに他方には図示しない従動ローラが設けられており、これら駆動ローラと従動ローラとを掛け渡すように図示しない駆動ベルトが設けられている。駆動ローラが回転することで駆動ベルトが移動し、それに伴って裏面側レール２５１上を駆動部２５２がスライド移動することとなる。
【０１５３】
駆動部２５２は、合成樹脂製の駆動ケースに対して永久磁石２５３が内蔵されて構成されている。また、当該永久磁石２５３に対応させて駆動受け部材２４２における合成樹脂製の駆動受けケースに対して鉄片２５４が内蔵されている。これにより、駆動部２５２が裏面側レール２５１に沿って移動した場合には、永久磁石２５３の磁力による吸着力及び吸引力により、表面側レール２４１に沿って駆動受け部材２４２がベース板２３１上を摺動する。そして、駆動受け部材２４２の移動に伴って演出可動物２４４が移動する。
【０１５４】
上記構成では、駆動受け部材２４２はベース板２３１を挟んで駆動部２５２に対して対向配置されているとともに、駆動部２５２に設けられた永久磁石２５３の磁力により駆動受け部材２４２が吸引されることで駆動部２５２の移動に追従して駆動受け部材２４２が移動することとなる。また、この駆動受け部材２４２の移動に際しては当該駆動受け部材２４２とベース板２３１との間に摩擦力が生じる。さらには、図１５（ａ）にて実線で示す初期位置から駆動受け部材２４２が移動し、それに伴って演出可動物２４４が移動した場合には、付勢部材２４５が初期位置の状態よりも引っ張られた状態となるため、演出可動物２４４及び駆動受け部材２４２に対する駆動部２５２に吸引される方向とは逆方向への付勢力が大きくなる。したがって、本実施の形態に係る構成であっても、演出可動物２４４に対して断続的な動作を行わせることが可能となる。
【０１５５】
なお、上記演出用ユニット２３０は、演出可動物２４４の位置が駆動受け部材２４２に対して上方の位置となるようにベース板２３１を鉛直方向に起立させて配置されるが、これに限定されることはなく、ベース板２３１において可動ユニット２３２が設けられた側である表面が上方又は斜め上方を向くように配置してもよい。
【０１５６】
また、液体の液面が波立つ様子を遊技者に視認させることによって斬新な演出を提供することができるという点に着目すれば、演出用ユニット２３０を液体が封入された容器内に設置するとともに、演出可動物２４４が所定の基準位置に配置されている状態において当該演出可動物２４４が液層の液面を跨ぐようにし、さらに演出可動物２４４が上記基準位置から液層内に沈む方向に移動可能とするとよい。
【０１５７】
また、付勢部材２４５としてゴム紐を用いてもよい。さらには当該付勢部材２４５に代えて送風機を設け、当該送風機からの風により演出可動物２４４に付勢力を付与する構成としてもよい。
【０１５８】
＜他の実施の形態＞
なお、上述した各実施の形態の記載内容に限定されず例えば次のように実施してもよい。ちなみに、以下の各構成を個別に上記各実施の形態に対して適用してもよく、一部又は全部を組み合わせて上記各実施の形態に対して適用してもよい。また、以下の各構成は、上記各実施の形態のうち適用対象として例示した実施の形態とは異なる実施の形態に対して適用してもよい。
【０１５９】
（１）上記第１の実施の形態において、駆動受け部材２４２が追従速度を変動させながら出力軸１６２に追従することで浮き部材１２４の動作を斬新なものとすることができるという点に着目すれば、ハウジング１１１内に液体を封入する構成に代えて、上記第３の実施の形態のように付勢部材を設けることにより、浮き部材１２４に対して駆動受け部材２４２側とは反対側への付勢力を付与する構成としてもよい。なお、付勢部材としては、コイルバネや板バネを用いてもよく、ゴム紐を用いてもよい。
【０１６０】
（２）上記第１の実施の形態において、駆動受け部材２４２が追従速度を変動させながら出力軸１６２に追従することで浮き部材１２４の動作を斬新なものとすることができるという点に着目すれば、出力軸１６２に駆動受け部材２４２を追従させるための吸引力を発生させる吸引手段は、永久磁石１６４と強磁性体１６６との組み合わせに限定されない。例えば、上記（１）のように液体の代わりにバネなどの付勢部材を設けた構成においては、空圧により駆動受け部材２４２を吸引する構成を出力軸１６２に設け、当該空圧による吸引力が隔壁部１４１と駆動受け部材２４２との間の摩擦力に対して大小することで、駆動受け部材２４２が追従速度を変動させながら追従する構成としてもよい。
【０１６１】
（３）上記第１の実施の形態において、駆動受け部材２４２が追従速度を変動させながら出力軸１６２に追従することで浮き部材１２４の動作を斬新なものとすることができるという点に着目すれば、出力軸１６２に駆動受け部材２４２が追従する方向の力に対して対抗する力は、隔壁部１４１と駆動受け部材２４２との間の摩擦力に限定されない。例えば、上記（２）のように空圧により駆動受け部材２４２を吸引する構成においては、駆動受け部材２４２と出力軸１６２とを直接接触させるとともに、駆動受け部材２４２が追従する方向に対して反対方向に向けて駆動受け部材２４２を引っ張るようにバネなどの付勢部材を設け、上記空圧による吸引力が付勢部材の付勢力に対して大小することで、駆動受け部材２４２が追従速度を変動させながら追従する構成としてもよい。
【０１６２】
（４）隔壁部１４１、駆動受け部材２４２及び駆動ブロック１０２を、液体が封入されたハウジング１１１に対して別に設け、駆動受け部材２４２の動きが当該駆動受け部材２４２とハウジング１１１との当接箇所を通じて当該ハウジング１１１に伝達される構成としてもよい。当該構成であっても、液体の液面が波立つ態様を不規則なものとすることができる。
【０１６３】
（５）上記第１の実施の形態において、強磁性体１６６に代えて、他の磁性体を用いてもよい。また、強磁性体１６６に代えて、永久磁石を用いてもよい。また、出力軸１６２に強磁性体１６６などの磁性体を設けるとともに駆動受け部材２４２に磁石を設け、駆動受け部材２４２側から磁力を発生させることで、出力軸１６２の動作に駆動受け部材２４２が追従する構成としてもよい。
【０１６４】
また、永久磁石に代えて、電磁石を用いてもよい。但し、本構成においては電磁石を通電させるための構成が必要となるため、構成の簡素化を図る上では、永久磁石を用いることが好ましい。また、永久磁石１６４と強磁性体１６６との組み合わせの数は、２組に限定されることはなく、１組であってもよく、３組以上であってもよい。
【０１６５】
（６）上記第１の実施の形態において、隔壁部１４１と駆動受け部材２４２との合わせ面に対して、両者の摩擦力を向上させるための摩擦力向上手段を付与してもよい。例えば、合わせ面を構成する少なくとも一方の面をゴムなどの摩擦係数の大きい材料により形成してもよく、合わせ面を構成する少なくとも一方の面に凹凸を設けてもよい。
【０１６６】
（７）上記第１の実施の形態において、ハウジング１１１内に複数の液層が形成されているのではなく、単一の液層のみが形成されている構成としてもよい。この場合であっても、浮き部材１２４の移動範囲に、単一の液層の液面を跨ぐように配置されている位置から、液層に沈む方向に移動する移動範囲が含まれていることにより、液面が波立つ様子を遊技者に視認させることができる。なお、本構成においては、単一の液層を形成する液体として、無色の液体を用いてもよい。
【０１６７】
（８）上記第１の実施の形態において、上側層１１９を形成する液体として、有色の液体を用いてもよい。また、下側層１１８を形成する液体として、不透明の液体を用いてもよい。
【０１６８】
（９）上記第１の実施の形態において、浮き部材１２４やその周辺を照らす照明手段を設けてもよい。この場合、当該照明手段の光を当てる方向を、出力軸１６２の軸線方向に対して直交する方向とすることで、駆動受け部材２４２の回転に伴って浮き部材１２４の位置がずれたとしても、当該浮き部材１２４に照明手段からの光を当て易くなる。また、浮き部材１２４自身に発光手段を設けてもよい。また、下側層１１８と上側層１１９との界面１２０を照らす照明手段を設けてもよい。
【０１６９】
（１０）上記第１の実施の形態において、ハウジング１１１や駆動受け部材２４２の形状は任意である。例えば、駆動受け部材２４２が単一の環状となるように形成された構成としてもよい。
【０１７０】
（１１）上記第１の実施の形態において、液体の液面が波立つ様子を遊技者に視認させることによって斬新な演出を提供することができるという点に着目すれば、駆動受け部材２４２が追従速度を変動させながら追従する構成は必須ではない。例えば、回転モータの出力軸に撹拌部材を設け、当該撹拌部材により液面を波立たせる構成や、ハウジング１１１に対して外部から一定の振動を与える構成としてもよい。
【０１７１】
（１２）上記実施の形態では、主制御装置８１から出力されるコマンドに基づいて、音声ランプ制御装置８２により表示制御装置２１０が制御される構成としたが、これに代えて、主制御装置８１から出力されるコマンドに基づいて、表示制御装置２１０が音声ランプ制御装置８２を制御する構成としてもよい。また、音声ランプ制御装置８２と表示制御装置２１０とが別々に設けられた構成に代えて、両制御装置８２，２１０が一の制御装置として設けられた構成としてもよい。また、主制御装置８１から音声ランプ制御装置８２に出力されるコマンドの構成も任意である。
【０１７２】
また、音声ランプ制御装置８２は、主制御装置８１からコマンドを入力した場合に、当該コマンドをそのまま表示制御装置２１０に出力するのではなく、音声ランプ制御装置８２において図柄の変動表示のパターンなどを特定するとともに、その特定結果を含めた情報を表示制御装置２１０に出力する構成としてもよい。
【０１７３】
（１３）上記各実施の形態とは異なる他のタイプのパチンコ機等、例えば特別装置の特定領域に遊技球が入ると電動役物が所定回数開放するパチンコ機や、特別装置の特定領域に遊技球が入ると権利が発生して大当たりとなるパチンコ機、他の役物を備えたパチンコ機、アレンジボール機、雀球等の遊技機にも本発明を適用できる。
【０１７４】
また、弾球式でない遊技機、例えば、複数種の図柄が周方向に付された複数のリールを備え、メダルの投入及びスタートレバーの操作によりリールの回転を開始し、ストップスイッチが操作されるか所定時間が経過することでリールが停止した後に、表示窓から視認できる有効ライン上に特定図柄又は特定図柄の組み合わせが成立していた場合にはメダルの払い出し等といった特典を遊技者に付与するスロットマシンにも本発明を適用できる。
【０１７５】
また、取込装置を備え、貯留部に貯留されている所定数の遊技球が取込装置により取り込まれた後にスタートレバーが操作されることによりリールの回転を開始する、パチンコ機とスロットマシンとが融合された遊技機にも本発明を適用できる。
【０１７６】
＜上記各実施の形態から抽出される発明群について＞
以下、上述した各実施の形態から抽出される発明群の特徴について、必要に応じて効果等を示しつつ説明する。なお以下においては、理解の容易のため、上記各実施の形態において対応する構成を括弧書き等で適宜示すが、この括弧書き等で示した具体的構成に限定されるものではない。
【０１７７】
特徴Ａ１．駆動手段（駆動ブロック１０２）が駆動状態となることで動作する可動手段（浮きユニット１２１）を備えている遊技機において、
前記駆動手段及び前記可動手段の少なくとも一方に設けられ、前記可動手段を前記駆動手段の動きに追従させる追従力付与手段（永久磁石１６４）と、
前記駆動手段の動きに追従して前記可動手段が移動する場合に、当該可動手段に対してその移動方向とは反対側に向けた成分を含む対抗力を付与する対抗力付与手段（隔壁部１４１）と、
を備え、
前記追従力付与手段による追従力及び前記対抗力付与手段による対抗力は、前記駆動手段の動きに前記可動手段が追従する場合に当該可動手段が追従速度を変動させながら追従するように設定されていることを特徴とする遊技機。
【０１７８】
特徴Ａ１によれば、駆動手段が駆動状態となり可動手段が追従する場合、追従力付与手段による追従力及び対抗力付与手段による対抗力により、当該可動手段は追従速度を変動させながら追従することとなる。そして、可動手段が追従速度を変動させながら追従することで、可動手段は動作速度を変動させながら動作することとなる。これにより、可動手段の動作を斬新なものとすることが可能となる。
【０１７９】
特に、追従力付与手段の追従力及び対抗力付与手段の対抗力の設定により、可動手段が追従速度を変動させながら追従する構成であるため、駆動手段においては動作速度を変動させる必要がない。よって、動作速度を変更可能な駆動手段を用いることなく又は動作速度を変動させるための駆動制御を行わなくても上記効果を奏することができる。
【０１８０】
以上より、可動手段を用いた遊技の興趣の向上を好適に図ることが可能となる。
【０１８１】
特徴Ａ２．駆動手段（駆動ブロック１０２）が駆動状態となることで動作する可動手段（浮きユニット１２１）を備えている遊技機において、
前記駆動手段及び前記可動手段の間を隔てる隔壁部（隔壁部１４１）と、
前記駆動手段及び前記可動手段の少なくとも一方に設けられ、磁力により他方を吸引することが可能であるとともに、その吸引力により前記可動手段を前記隔壁部上において摺動させながら前記駆動手段の動きに追従させる磁気手段（永久磁石１６４）と、
を備え、
前記磁気手段による吸引力と、前記可動手段が前記隔壁部上を摺動することにより生じる摩擦力とは、前記駆動手段の動きに前記可動手段が追従する場合に当該可動手段が追従速度を変動させながら追従するように設定されていることを特徴とする遊技機。
【０１８２】
特徴Ａ２によれば、駆動手段の動きに可動手段が追従する場合、磁気手段による吸引力と、可動手段が隔壁部上を摺動することにより生じる摩擦力とにより、当該可動手段は追従速度を変動させながら追従することとなる。そして、可動手段が追従速度を変動させながら追従することで、可動手段は動作速度を変動させながら動作することとなる。これにより、可動手段の動作を斬新なものとすることが可能となる。
【０１８３】
特に、磁気手段による吸引力と、隔壁部及び可動手段の摩擦力との設定により、可動手段が追従速度を変動させながら追従する構成であるため、駆動手段においては動作速度を変動させる必要がない。よって、動作速度を変更可能な駆動手段を用いることなく又は駆動手段の動作速度を変動させるための駆動制御を行わなくても上記効果を奏することができる。つまり、汎用的な駆動手段を用いながら又は駆動制御に際しての処理負荷の軽減を図りながら、上記効果を奏することができる。
【０１８４】
以上より、可動手段を用いた遊技の興趣の向上を良好に図ることが可能となる。
【０１８５】
特徴Ａ３．前記磁気手段は、前記駆動手段又は前記可動手段の一方が有する磁石（永久磁石１６４）と、他方が有するとともに前記磁石の磁力により吸引される磁性体（強磁性体１６６）と、を備えていることを特徴とする特徴Ａ２に記載の遊技機。
【０１８６】
特徴Ａ３によれば、磁気手段は、永久磁石と磁性体とにより構成されているため、構成の簡素化を図りつつ上記特徴Ａ２の優れた効果を奏することができる。
【０１８７】
なお、「磁性体」には「磁石」が含まれる。また、「磁石」には「永久磁石」と「電磁石」とが含まれるが、さらなる構成の簡素化を図る上では「永久磁石」を用いることが好ましい。
【０１８８】
特徴Ａ４．前記駆動手段は、所定方向に延びるとともに当該駆動手段が駆動状態となることで軸線周りに回転する出力部（出力軸１６２）を有しており、
前記隔壁部は、前記出力部を挿入可能な挿入孔（隔壁貫通孔１４４）を有しており、
前記可動手段は、前記隔壁部において前記挿入孔を区画する壁部を前記挿入孔の軸線周りに囲む環状の受け部（駆動受け部材１２２）を有しており、
前記出力部が前記挿入孔内において回転した場合には前記磁気手段の吸引力により前記出力部に追従して前記受け部が前記挿入孔の軸線周りに回転するとともに、その回転に際して前記区画する壁部の壁面と前記受け部の壁面との間に摩擦力が生じる構成であることを特徴とする特徴Ａ２又はＡ３に記載の遊技機。
【０１８９】
特徴Ａ４によれば、可動手段を動作させる構成のコンパクト化を図りながら、上記特徴Ａ２の優れた効果を奏することができる。
【０１９０】
特徴Ａ５．前記磁気手段は、前記出力部又は前記受け部の一方が有する磁石（永久磁石１６４）と、他方が有するとともに前記磁石の磁力により吸引される磁性体（強磁性体１６６）と、を備えていることを特徴とする特徴Ａ４に記載の遊技機。
【０１９１】
特徴Ａ５によれば、磁気手段は、磁石と磁性体とにより構成されているため、構成の簡素化を図りつつ上記特徴Ａ２の優れた効果を奏することができる。また、隔壁部の挿入孔内に出力部を挿入した場合には磁気的な吸引力により出力部に受け部が引き寄せられるため、挿入孔内に出力部を挿入することで出力部に対して受け部が自ずと追従可能な状態となる。
【０１９２】
なお、「磁性体」には「磁石」が含まれる。また、「磁石」には「永久磁石」と「電磁石」とが含まれるが、さらなる構成の簡素化を図る上では「永久磁石」を用いることが好ましい。
【０１９３】
特徴Ａ６．前記磁石及び前記磁性体のうち一方は前記出力部においてその軸線周りの一部に設けられているとともに、他方は前記受け部においてその軸線周りの一部に設けられていることを特徴とする特徴Ａ５に記載の遊技機。
【０１９４】
特徴Ａ６によれば、出力部の回転に対して受け部が追従して回転するとともに、その回転に際して隔壁部の壁面と受け部の壁面との間に摩擦力が生じる構成において、磁石と磁性体との相対距離が出力部の軸線周りに所定の距離以上離間され、受け部にかかる吸引力のうち軸線周りに回転する方向の成分が上記摩擦力を超えることで受け部が回転し、その回転に伴って磁石と磁性体との相対距離が所定の距離未満となると、吸引力のうち軸線周りに回転する方向の成分が上記摩擦力を下回ることで受け部が減速する。そして、再度、上記相対距離が所定の距離以上となることで、受け部が加速する。これにより、受け部は追従速度を変動させながら追従することとなり、可動手段の動作を斬新なものとすることが可能となる。
【０１９５】
特徴Ａ７．前記可動手段は、
前記駆動手段との間に前記隔壁部を挟むようにして設けられ、前記駆動手段が動作した場合に前記磁気手段の吸引力により当該駆動手段の動きに追従して移動するとともにその移動に際して前記隔壁部上を摺動する受け部（駆動受け部材１２２）と、
線状部材（線状部材１２３）を介して前記受け部に連結された可動物（浮き部材１２４）と、
を備えていることを特徴とする特徴Ａ２乃至Ａ６のいずれか１に記載の遊技機。
【０１９６】
特徴Ａ７によれば、受け部の動きは線状部材を介して可動物に伝わるため、当該動きの伝わりに際して線状部材が揺らぐことにより可動物の動きが不規則なものとなる。
【０１９７】
特に、上記特徴Ａ２の構成を備え、受け部は追従速度を変動させながら駆動手段の動きに追従するため、線状部材が揺らぎ易くなり、それに伴って可動物の動きがより不規則なものとなる。
【０１９８】
特徴Ａ８．前記可動物を前記受け部側とは反対側に付勢する付勢手段（下側層１１８、上側層１１９）を備えていることを特徴とする特徴Ａ７に記載の遊技機。
【０１９９】
特徴Ａ８によれば、可動物が受け部側とは反対側に付勢されていることにより、受け部が初期位置から移動した後において当該受け部が初期位置に復帰した場合に、当該動作に可動物が追従し易くなる。
【０２００】
特徴Ａ９．前記付勢手段は、前記可動物の少なくとも一部の移動範囲において、前記受け部側に向けて前記可動物が向かうほど前記受け部側とは反対側に向けた付勢力を増加させるものであることを特徴とする特徴Ａ８に記載の遊技機。
【０２０１】
特徴Ａ９によれば、受け部側に向かうほど付勢力が増加することとなる移動範囲を可動物が移動する場合には、当該可動物は受け部の移動に対して単に引っ張られて動くだけでなく、それとは反対側に戻る動きを行うことが可能となる。これにより、可動物の動きを不規則なものとすることが可能となる。
【０２０２】
特徴Ａ１０．前記駆動手段は、所定方向に延びるとともに当該駆動手段が駆動状態となることで軸線周りに回転する出力部（出力軸１６２）を有しており、
前記隔壁部は、前記出力部を挿入可能な挿入孔（隔壁貫通孔１４４）を有しており、
前記受け部は、前記隔壁部において前記挿入孔を区画する壁部を前記挿入孔の軸線周りに囲むように形成されており、
前記出力部が前記挿入孔内において回転することにより、それに追従して前記受け部が前記挿入孔の軸線周りに回転するとともに、その回転に際して前記区画する壁部の壁面と前記受け部の壁面との間に摩擦力が生じる構成であることを特徴とする特徴Ａ８又はＡ９に記載の遊技機。
【０２０３】
特徴Ａ１０によれば、可動手段を動作させる構成のコンパクト化を図りながら、既に説明したような優れた効果を奏することができる。
【０２０４】
特徴Ａ１１．前記出力部の回転に追従して前記受け部が回転することで前記可動物が移動する場合に、当該可動物の移動範囲を所定方向に制限する制限部材（制限部材１７５）が設けられていることを特徴とする特徴Ａ１０に記載の遊技機。
【０２０５】
特徴Ａ１１によれば、可動物の移動範囲が制限部材により所定方向に制限されるため、遊技者が可動物の動きを確認する場合に視認する範囲が制限され、それに伴って遊技者にとって視認すべき範囲が明確化される。
【０２０６】
特徴Ａ１２．前記付勢手段は、内部空間を有する容器内に封入された液体であり、
前記可動物は、前記容器内に配置されているとともに、前記受け部の追従に伴って前記液体内を移動するように配置されており、
さらに、前記可動物の移動範囲には、前記液体の液面（界面１２０）を跨ぐように前記可動物が配置された基準位置から当該液体内に沈む方向に移動する移動範囲が含まれていることを特徴とする特徴Ａ８乃至Ａ１１のいずれか１に記載の遊技機。
【０２０７】
特徴Ａ１２によれば、容器内に封入された液体から受ける浮力により可動物が受け部側とは反対側に付勢されることとなる。
【０２０８】
この場合に、可動物の移動範囲に、液面を跨ぐように可動物が配置された位置から当該液体内に沈む方向に移動する移動範囲が含まれていることにより、駆動手段の動きに受け部が追従した場合には可動物の動きを遊技者に視認させることができるだけでなく、液面が波立つ様子を遊技者に視認させることができる。つまり、本構成によれば、可動物に付勢力を付与する付勢手段として液体を用いたことにより、駆動手段を駆動状態とすることで可動物が動作するとともに液面が波立つこととなり、１種類の出力により複数の視的効果を遊技者に提供することができる。
【０２０９】
特に、上記特徴Ａ２の構成を備え、受け部は追従速度を変動させながら駆動手段の動きに追従し、それに伴って可動物は不規則な動きをすることとなるため、液面が波立ち易くなる。
【０２１０】
また、上記のように可動物が移動する場合には、可動物が沈むほど浮力が増加することとなる。この場合、可動物は受け部の移動に対して単に引っ張られて動くだけでなく、それとは反対側に戻る動きを行うことが可能となる。これにより、可動物の動きを不規則なものとすることが可能となる。
【０２１１】
特徴Ａ１３．前記駆動手段は、所定方向に延びるとともに当該駆動手段が駆動状態となることで軸線周りに回転する出力部（出力軸１６２）を有しており、
前記隔壁部は、前記容器において当該容器の所定の壁面から当該容器の内側に向けて延びる挿入孔（隔壁貫通孔１４４）を前記容器の内部空間に対して区画するように形成されており、
前記受け部は、前記容器内に設けられているとともに、前記隔壁部において前記挿入孔を区画する壁部を前記挿入孔の軸線周りに囲むように形成されており、
前記出力部が前記挿入孔内において回転することにより、それに追従して前記受け部が前記挿入孔の軸線周りに回転するとともに、その回転に際して前記区画する壁部の壁面と前記受け部の壁面との間に摩擦力が生じる構成であることを特徴とする特徴Ａ１２に記載の遊技機。
【０２１２】
特徴Ａ１３によれば、可動手段を動作させる構成のコンパクト化を図りながら、既に説明したような優れた効果を奏することができる。
【０２１３】
また、隔壁部が液体を封入する容器に設けられているとともに当該容器内に受け部が設けられているため、これら隔壁部や受け部を容器の外部に設ける構成に比べ好ましい構成となる。つまり、隔壁部や受け部が容器の外部に設けられた構成においては、例えば線状部材を容器の内外に貫通させる必要が生じる。そうすると、容器におけるその貫通箇所から液体が漏れないようにするための構成を別途設ける必要が生じる。これに対して、本特徴の構成によれば上記のような貫通箇所を設ける必要がないため、構成の簡素化を図ることが可能となる。
【０２１４】
特徴Ａ１４．前記液面を生じさせる液体は有色であり、
前記受け部及び前記隔壁部を含めた前記駆動手段による駆動箇所は、遊技機前方から当該駆動箇所を視認しようとしても、その遊技機前方から当該駆動箇所に至るまでの視線の経路上に前記液体が含まれる位置となるように設定されていることを特徴とする特徴Ａ１２又はＡ１３に記載の遊技機。
【０２１５】
特徴Ａ１４によれば、液面を生じさせる液体が有色であることにより、可動物の動きに応じて液面が波立つ様子を遊技者が視認し易くなる。その一方、受け部及び隔壁部を含めた駆動手段による駆動箇所は、遊技機前方から当該駆動箇所を視認しようとしても、その遊技機前方から当該駆動箇所に至るまでの視線の経路上に液体が含まれる位置となるように設定されているため、遊技者にとって上記駆動箇所が視界に入りづらくなる。つまり、本構成によれば、有色の液体を用いるという簡易な構成を通じて、液面が波立つ様子の視認性の向上が図られているとともに、駆動箇所の視認性を低下させるという両方の効果を奏することができる。
【０２１６】
なお、上記特徴Ａ１３を備えた構成においては、「前記隔壁部は前記容器の内部空間のうち前記着色された液体により液層が形成されている領域に対して前記挿入孔を区画するように形成されているとともに、前記受け部は前記液層にその全体が含まれている」構成とすることで、上記特徴Ａ１３の作用効果と上記特徴Ａ１４の作用効果とを良好に奏することができる。
【０２１７】
特徴Ａ１５．前記可動物は、前記受け部が初期位置に配置されている状態において前記液体内にその全体が入り込んでいることを特徴とする特徴Ａ１２乃至Ａ１４のいずれか１に記載の遊技機。
【０２１８】
特徴Ａ１５によれば、可動物は受け部が初期位置に配置されている状態においてその全体が液体内に入り込んでいるため、搬送時などに遊技機に振動が加えられたとしても、容器の内壁面に可動物が勢いよく衝突してしまうことが抑えられる。よって、遊技機の搬送時などに可動物が破損してしまう可能性が低減される。
【０２１９】
特徴Ａ１６．前記容器内には、それぞれ比重が異なる複数種類の液体が封入されていることにより、複数の液体層が形成されており、
前記受け部は、前記複数の液体層における第１層（下側層１１８）と当該第１層に対してその上方にて重なる第２層（上側層１１９）との間の界面（界面１２０）よりも低い位置に配置されており、
前記可動物の移動範囲には、前記界面を跨いで前記第１層及び前記第２層に亘って配置されている基準位置と、その跨いだ状態を維持しながら当該基準位置よりも第１層側に沈んだ位置とが含まれていることを特徴とする特徴Ａ１２乃至Ａ１５のいずれか１に記載の遊技機。
【０２２０】
特徴Ａ１６によれば、可動物が基準位置に配置されている状態であっても当該可動物には受け部側とは反対側に向けて第１層の液体及び第２層の液体から浮力を受けることとなる。これにより、基準位置から第１層側に沈ませた後に可動物を基準位置に復帰させる場合に、その復帰を速やかに行わせることが可能となる。
【０２２１】
また、可動物が基準位置から第１層側に沈んだ場合には、可動物において第２層内に入り込んだ領域が減少するのに対して第１層内に入り込んだ領域が増加するため、受け部側に向けて可動物が向かうほど受け部側とは反対側に向けた付勢力を増加させることが可能となる。これにより、かかる移動範囲を可動物が移動する場合には、当該可動物は受け部の移動に対して単に引っ張られて動くだけでなく、それとは反対側に戻る動きを行わせることが可能となる。よって、可動物の動きを不規則なものとすることが可能となる。
【０２２２】
特徴Ａ１７．前記可動物は、前記基準位置に配置されている状態において前記第１層及び前記第２層にその全体が入り込んでいることを特徴とする特徴Ａ１６に記載の遊技機。
【０２２３】
特徴Ａ１７によれば、可動物は基準位置に配置されている状態においてその全体が液体内に入り込んでいるため、搬送時などに遊技機に振動が加えられたとしても、容器の内壁面に可動物が勢いよく衝突してしまうことが抑えられる。よって、遊技機の搬送時などに可動物が破損してしまう可能性が低減される。
【０２２４】
特徴Ａ１８．前記第１層は有色の液体により形成されており、
前記受け部及び前記隔壁部を含めた前記駆動手段による駆動箇所は、遊技機前方から当該駆動箇所を視認しようとしても、その遊技機前方から当該駆動箇所に至るまでの視線の経路上に前記第１層が含まれる位置となるように設定されていることを特徴とする特徴Ａ１６又はＡ１７に記載の遊技機。
【０２２５】
特徴Ａ１８によれば、第１層が有色の液体により形成されていることにより、可動物の動きに応じて界面が波立つ様子を遊技者が視認し易くなる。その一方、受け部及び隔壁部を含めた駆動手段による駆動箇所は、遊技機前方から当該駆動箇所を視認しようとしても、その遊技機前方から当該駆動箇所に至るまでの視線の経路上に第１層が含まれる位置となるように設定されているため、遊技者にとって上記駆動箇所が視界に入りづらくなる。つまり、本構成によれば、第１層を有色の液体により形成するという簡易な構成を通じて、界面が波立つ様子の視認性の向上が図られているとともに、駆動箇所の視認性を低下させるという両方の効果を奏することができる。
【０２２６】
なお、上記特徴Ａ１３を備えた構成においては、「前記隔壁部は前記容器の内部空間のうち前記第１層が形成されている領域に対して前記挿入孔を区画するように形成されているとともに、前記受け部は前記第１層にその全体が含まれている」構成とすることで、上記特徴Ａ１３の作用効果と上記特徴Ａ１８の作用効果とを良好に奏することができる。
【０２２７】
特徴Ａ１９．前記第１層は有色の液体により形成されているとともに、前記第２層は無色透明の液体により形成されていることを特徴とする特徴Ａ１６乃至Ａ１８のいずれか１に記載の遊技機。
【０２２８】
特徴Ａ１９によれば、第１層が有色の液体により形成されているとともに第２層が無色透明の液体により形成されていることにより、可動物の動きに応じて界面が波立つ様子を遊技者が視認し易くなる。
【０２２９】
特に、第２層が無色透明の液体により形成されていることにより、可動物が第１層と第２層との界面を跨ぐように配置されている状態であっても、遊技者に対しては単一の液層の液面に可動物が浮いているかのように視認させることができる。これにより、かかる視的効果を奏しながら、上記特徴Ａ１６において説明したような優れた効果を奏することができる。
【０２３０】
特徴Ａ２０．演出実行手段にて遊技状況に応じた演出を実行させる演出実行制御手段（表示制御装置２１０のＭＰＵ２１２において各遊技回の図柄の変動表示を制御する機能）と、
前記演出実行手段にて所定の演出が実行されている状況で前記駆動手段が駆動状態となるように当該駆動手段を駆動制御する駆動制御手段（表示制御装置２１０のＭＰＵ２１２において演出用ユニット１００を駆動制御する機能）と、
を備えていることを特徴とする特徴Ａ１乃至Ａ１９のいずれか１に記載の遊技機。
【０２３１】
特徴Ａ２０によれば、演出実行手段における演出に対応させて可動手段を動作させることができる。
【０２３２】
特徴Ｂ１．液体を収容する液室が形成されているとともに、当該液室内に収容されている液体により形成されている液層（下側層１１８）の液面（界面１２０）が遊技機前方から視認可能なように設けられた容器（ハウジング１１１）と、
前記液面を揺らす可動手段（浮きユニット１２１）と、
を備えていることを特徴とする遊技機。
【０２３３】
特徴Ｂ１によれば、可動手段により液層の液面が揺らされることにより、遊技者は液面が波立っている様子を演出として視認することができる。特に、液面が波立つ場合には、その波立つ態様は不規則なものとなる。これにより、可動手段を用いた遊技の興趣の向上を好適に図ることが可能となる。
【０２３４】
特徴Ｂ２．前記可動手段は、前記液室内に配置された可動物（浮き部材１２４）を備えており、
当該可動物の移動範囲には、前記液面を跨ぐように前記可動物が配置された基準位置から前記液層内に沈む方向に移動する移動範囲が含まれていることを特徴とする特徴Ｂ１に記載の遊技機。
【０２３５】
特徴Ｂ２によれば、可動物の移動範囲に、液面を跨ぐように可動物が配置された位置から液層内に沈む方向に移動する移動範囲が含まれていることにより、可動物の動きを遊技者に視認させながら、液面が波立つ様子を遊技者に視認させることができる。つまり、本構成によれば、可動物を動作させるという１種類の出力により、複数の視的効果を遊技者に提供することができる。
【０２３６】
特徴Ｂ３．前記可動物を、前記液体の浮力に抗して前記液層内に沈む方向に移動させる駆動手段（駆動ブロック１０２）を備え、
前記液層を形成する液体は有色であり、
前記駆動手段による駆動箇所は、遊技機前方から当該駆動箇所を視認しようとしても、その遊技機前方から当該駆動箇所に至るまでの視線の経路上に前記液層が含まれる位置となるように設定されていることを特徴とする特徴Ｂ２に記載の遊技機。
【０２３７】
特徴Ｂ３によれば、液層を形成する液体が有色であることにより、可動物の動きに応じて液面が波立つ様子を遊技者が視認し易くなる。その一方、駆動手段による駆動箇所は、遊技機前方から当該駆動箇所を視認しようとしても、その遊技機前方から当該駆動箇所に至るまでの視線の経路上に液体が含まれる位置となるように設定されているため、遊技者にとって上記駆動箇所が視界に入りづらくなる。つまり、本構成によれば、有色の液体を用いるという簡易な構成を通じて、液面が波立つ様子の視認性の向上が図られているとともに、駆動箇所の視認性を低下させるという両方の効果を奏することができる。
【０２３８】
特徴Ｂ４．前記可動物を前記液層内に沈む方向に移動させる駆動力が付与されていない前記可動物の初期位置では、当該可動物は前記液層内にその全体が入り込んでいることを特徴とする特徴Ｂ２又はＢ３に記載の遊技機。
【０２３９】
特徴Ｂ４によれば、可動物は初期位置に配置されている状態においてその全体が液層内に入り込んでいるため、搬送時などに遊技機に振動が加えられたとしても、容器の内壁面に可動物が勢いよく衝突してしまうことが抑えられる。よって、遊技機の搬送時などに可動物が破損してしまう可能性が低減される。
【０２４０】
特徴Ｂ５．前記液室内には、それぞれ比重が異なる複数種類の液体が封入されていることにより、複数の液体層が形成されており、
前記基準位置は、前記複数の液体層における第１層（下側層１１８）と当該第１層に対してその上方にて重なる第２層（上側層１１９）との間の界面（界面１２０）を跨いでそれら第１層及び第２層に亘って可動物が配置されている位置であり、
前記可動物の移動範囲には、前記基準位置と、前記界面を跨いだ状態を維持しながら当該基準位置よりも前記第１層側に沈んだ位置とが含まれていることを特徴とする特徴Ｂ２乃至Ｂ４のいずれか１に記載の遊技機。
【０２４１】
特徴Ｂ５によれば、可動物が基準位置に配置されている状態であっても当該可動物には受け部側とは反対側に向けて第１層の液体及び第２層の液体から浮力を受けることとなる。これにより、基準位置から第１層側に沈ませた後に可動物を基準位置に復帰させる場合に、その復帰を速やかに行わせることが可能となる。
【０２４２】
特徴Ｂ６．前記可動物は、前記基準位置に配置されている状態において前記第１層及び前記第２層にその全体が入り込んでいることを特徴とする特徴Ｂ５に記載の遊技機。
【０２４３】
特徴Ｂ６によれば、可動物は基準位置に配置されている状態においてその全体が液体内に入り込んでいるため、搬送時などに遊技機に振動が加えられたとしても、容器の内壁面に可動物が勢いよく衝突してしまうことが抑えられる。よって、遊技機の搬送時などに可動物が破損してしまう可能性が低減される。
【０２４４】
特徴Ｂ７．前記可動物を、前記第１層を形成している液体の浮力に抗して前記第１層内に沈む方向に移動させる駆動手段（駆動ブロック１０２）を備え、
前記第１層は有色の液体により形成されており、
前記駆動手段による駆動箇所は、遊技機前方から当該駆動箇所を視認しようとしても、その遊技機前方から当該駆動箇所に至るまでの視線の経路上に前記第１層が含まれる位置となるように設定されていることを特徴とする特徴Ｂ５又はＢ６に記載の遊技機。
【０２４５】
特徴Ｂ７によれば、第１層が有色の液体により形成されていることにより、可動物の動きに応じて界面が波立つ様子を遊技者が視認し易くなる。その一方、駆動手段による駆動箇所は、遊技機前方から当該駆動箇所を視認しようとしても、その遊技機前方から当該駆動箇所に至るまでの視線の経路上に第１層が含まれる位置となるように設定されているため、遊技者にとって上記駆動箇所が視界に入りづらくなる。つまり、本構成によれば、第１層を有色の液体により形成するという簡易な構成を通じて、界面が波立つ様子の視認性の向上が図られているとともに、駆動箇所の視認性を低下させるという両方の効果を奏することができる。
【０２４６】
特徴Ｂ８．前記第１層は有色の液体により形成されているとともに、前記第２層は無色透明の液体により形成されていることを特徴とする特徴Ｂ５乃至Ｂ７のいずれか１に記載の遊技機。
【０２４７】
特徴Ｂ８によれば、第１層が有色の液体により形成されているとともに第２層が無色透明の液体により形成されていることにより、可動物の動きに応じて界面が波立つ様子を遊技者が視認し易くなる。
【０２４８】
特に、第２層が無色透明の液体により形成されていることにより、可動物が第１層と第２層との界面を跨ぐように配置されている状態であっても、遊技者に対しては単一の液層の液面に可動物が浮いているかのように視認させることができる。これにより、かかる視的効果を奏しながら、上記特徴Ｂ５において説明したような優れた効果を奏することができる。
【０２４９】
特徴Ｂ９．前記可動手段を動作させる駆動手段（駆動ブロック１０２）と、
前記駆動手段及び前記可動手段の少なくとも一方に設けられ、前記可動手段を前記駆動手段の動きに追従させる追従力付与手段（永久磁石１６４）と、
前記駆動手段の動きに追従して前記可動手段が移動する場合に、当該可動手段に対してその移動方向とは反対側に向けた成分を含む対抗力を付与する対抗力付与手段（隔壁部１４１）と、
を備え、
前記追従力付与手段による追従力及び前記対抗力付与手段による対抗力は、前記駆動手段の動きに前記可動手段が追従する場合に当該可動手段が追従速度を変動させながら追従するように設定されていることを特徴とする特徴Ｂ１乃至Ｂ８のいずれか１に記載の遊技機。
【０２５０】
特徴Ｂ９によれば、駆動手段が駆動状態となり可動手段が追従する場合、追従力付与手段による追従力及び対抗力付与手段による対抗力により、当該可動手段は追従速度を変動させながら追従することとなる。そして、可動手段が追従速度を変動させながら追従することで、可動手段は動作速度を変動させながら動作することとなる。このように複雑な動作で液面を揺らすことにより、液面が波立ち易くなる。
【０２５１】
特に、追従力付与手段の追従力及び対抗力付与手段の対抗力の設定により、可動手段が追従速度を変動させながら追従する構成であるため、駆動手段においては動作速度を変動させる必要がない。よって、動作速度を変更可能な駆動手段を用いることなく又は動作速度を変動させるための駆動制御を行わなくても上記効果を奏することができる。
【０２５２】
特徴Ｂ１０．前記可動手段を動作させる駆動手段（駆動ブロック１０２）と、
前記駆動手段及び前記可動手段の間を隔てる隔壁部（隔壁部１４１）と、
前記駆動手段及び前記可動手段の少なくとも一方に設けられ、磁力により他方を吸引することが可能であるとともに、その吸引力により前記可動手段を前記隔壁部上において摺動させながら前記駆動手段の動きに追従させる磁気手段（永久磁石１６４）と、
を備え、
前記磁気手段による吸引力と、前記可動手段が前記隔壁部上を摺動することにより生じる摩擦力とは、前記駆動手段の動きに前記可動手段が追従する場合に当該可動手段が追従速度を変動させながら追従するように設定されていることを特徴とする特徴Ｂ１乃至Ｂ８のいずれか１に記載の遊技機。
【０２５３】
特徴Ｂ１０によれば、駆動手段の動きに可動手段が追従する場合、磁気手段による吸引力と、可動手段が隔壁部上を摺動することにより生じる摩擦力とにより、当該可動手段は追従速度を変動させながら追従することとなる。そして、可動手段が追従速度を変動させながら追従することで、可動手段は動作速度を変動させながら動作することとなる。このように複雑な動作で液面を揺らすことにより、液面が波立ち易くなる。
【０２５４】
特に、磁気手段による吸引力と、隔壁部及び可動手段の摩擦力との設定により、可動手段が追従速度を変動させながら追従する構成であるため、駆動手段においては動作速度を変動させる必要がない。よって、動作速度を変更可能な駆動手段を用いることなく又は駆動手段の動作速度を変動させるための駆動制御を行わなくても上記効果を奏することができる。つまり、汎用的な駆動手段を用いながら又は駆動制御に際しての処理負荷の軽減を図りながら、上記効果を奏することができる。
【０２５５】
特徴Ｂ１１．前記磁気手段は、前記駆動手段又は前記可動手段の一方が有する磁石（永久磁石１６４）と、他方が有するとともに前記磁石の磁力により吸引される磁性体（強磁性体１６６）と、を備えていることを特徴とする特徴Ｂ１０に記載の遊技機。
【０２５６】
特徴Ｂ１１によれば、磁気手段は、永久磁石と磁性体とにより構成されているため、構成の簡素化を図りつつ上記特徴Ｂ１０の優れた効果を奏することができる。
【０２５７】
なお、「磁性体」には「磁石」が含まれる。また、「磁石」には「永久磁石」と「電磁石」とが含まれるが、さらなる構成の簡素化を図る上では「永久磁石」を用いることが好ましい。
【０２５８】
特徴Ｂ１２．前記駆動手段は、所定方向に延びるとともに当該駆動手段が駆動状態となることで軸線周りに回転する出力部（出力軸１６２）を有しており、
前記隔壁部は、前記出力部を挿入可能な挿入孔（隔壁貫通孔１４４）を有しており、
前記可動手段は、前記隔壁部において前記挿入孔を区画する壁部を前記挿入孔の軸線周りに囲む環状の受け部（駆動受け部材１２２）を有しており、
前記出力部が前記挿入孔内において回転することにより、それに追従して前記受け部が前記挿入孔の軸線周りに回転するとともに、その回転に際して前記区画する壁部の壁面と前記受け部の壁面との間に摩擦力が生じる構成であることを特徴とする特徴Ｂ１１又はＢ１２に記載の遊技機。
【０２５９】
特徴Ｂ１２によれば、可動手段を動作させる構成のコンパクト化を図りながら、上記特徴Ｂ１１の優れた効果を奏することができる。
【０２６０】
特徴Ｂ１３．前記磁気手段は、前記出力部又は前記受け部の一方が有する磁石（永久磁石１６４）と、他方が有するとともに前記磁石の磁力により吸引される磁性体（強磁性体１６６）と、を備えていることを特徴とする特徴Ｂ１２に記載の遊技機。
【０２６１】
特徴Ｂ１３によれば、磁気手段は、磁石と磁性体とにより構成されているため、構成の簡素化を図りつつ上記特徴Ｂ１１の優れた効果を奏することができる。また、隔壁部の挿入孔内に出力部を挿入した場合には磁気的な吸引力により出力部に受け部が引き寄せられるため、挿入孔内に出力部を挿入することで出力部に対して受け部が自ずと追従可能な状態となる。
【０２６２】
なお、「磁性体」には「磁石」が含まれる。また、「磁石」には「永久磁石」と「電磁石」とが含まれるが、さらなる構成の簡素化を図る上では「永久磁石」を用いることが好ましい。
【０２６３】
特徴Ｂ１４．前記磁石及び前記磁性体のうち一方は前記出力部においてその軸線周りの一部に設けられているとともに、他方は前記受け部においてその軸線周りの一部に設けられていることを特徴とする特徴Ｂ１３に記載の遊技機。
【０２６４】
特徴Ｂ１４によれば、出力部の回転に対して受け部が追従して回転するとともに、その回転に際して隔壁部の壁面と囲み部の壁面との間に摩擦力が生じる構成において、磁石と磁性体との相対距離が出力部の軸線周りに所定の距離以上離間され、受け部にかかる吸引力のうち軸線周りに回転する方向の成分が上記摩擦力を超えることで受け部が回転し、その回転に伴って磁石と磁性体との相対距離が所定の距離未満となると、吸引力のうち軸線周りに回転する方向の成分が上記摩擦力を下回ることで受け部が減速する。そして、再度、上記相対距離が所定の距離以上となることで、受け部が加速する。これにより、受け部は追従速度を変動させながら追従することとなる。
【０２６５】
特徴Ｂ１５．前記可動手段は、
前記駆動手段との間に前記隔壁部を挟むようにして設けられ、前記駆動手段が動作した場合に前記磁気手段の吸引力により当該駆動手段の動きに追従して移動するとともにその移動に際して前記隔壁部上を摺動する受け部（駆動受け部材１２２）と、
線状部材（線状部材１２３）を介して前記受け部に連結された可動物（浮き部材１２４）と、
を備えており、
当該可動物の移動範囲には、前記液面を跨ぐように前記可動物が配置された基準位置から前記液層内に沈む方向に移動する移動範囲が含まれていることを特徴とする特徴Ｂ１０乃至Ｂ１４のいずれか１に記載の遊技機。
【０２６６】
特徴Ｂ１５によれば、可動物の移動範囲に、液面を跨ぐように可動物が配置された位置から液層内に沈む方向に移動する移動範囲が含まれていることにより、可動物の動きを遊技者に視認させながら、液面が波立つ様子を遊技者に視認させることができる。つまり、本構成によれば、可動物を動作させるという１種類の出力により、複数の視的効果を遊技者に提供することができる。
【０２６７】
また、受け部の動きは線状部材を介して可動物に伝わるため、当該動きの伝わりに際して線状部材が揺らぐことにより可動物の動きが不規則なものとなる。
【０２６８】
特に、上記特徴Ｂ１０の構成を備え、受け部は追従速度を変動させながら駆動手段の動きに追従するため、線状部材が揺らぎ易くなり、それに伴って可動物の動きがより不規則なものとなる。
【０２６９】
特徴Ｂ１６．前記駆動手段は、所定方向に延びるとともに当該駆動手段が駆動状態となることで軸線周りに回転する出力部（出力軸１６２）を有しており、
前記隔壁部は、前記容器において当該容器の所定の壁面から当該容器の内側に向けて延びる挿入孔（隔壁貫通孔１４４）を前記容器の液室に対して区画するように形成されており、
前記受け部は、前記容器内に設けられているとともに、前記隔壁部において前記挿入孔を区画する壁部を前記挿入孔の軸線周りに囲むように形成されており、
前記出力部が前記挿入孔内において回転することにより、それに追従して前記受け部が前記挿入孔の軸線周りに回転するとともに、その回転に際して前記区画する壁部の壁面と前記受け部の壁面との間に摩擦力が生じる構成であることを特徴とする特徴Ｂ１５に記載の遊技機。
【０２７０】
特徴Ｂ１６によれば、可動手段を動作させる構成のコンパクト化を図りながら、既に説明したような優れた効果を奏することができる。
【０２７１】
また、隔壁部が液体を封入する容器に設けられているとともに当該容器内に受け部が設けられているため、これら隔壁部や受け部を容器の外部に設ける構成に比べ好ましい構成となる。つまり、隔壁部や受け部が容器の外部に設けられた構成においては、例えば線状部材を容器の内外に貫通させる必要が生じる。そうすると、容器におけるその貫通箇所から液体が漏れないようにするための構成を別途設ける必要が生じる。これに対して、本特徴の構成によれば上記のような貫通箇所を設ける必要がないため、構成の簡素化を図ることが可能となる。
【０２７２】
なお、上記特徴Ｂ３を備えた構成においては、「前記隔壁部は前記容器の内部空間のうち前記着色された液体により液層が形成されている領域に対して前記挿入孔を区画するように形成されているとともに、前記受け部は前記液層にその全体が含まれている」構成とすることで、上記特徴Ｂ３の作用効果と上記特徴Ｂ１６の作用効果とを良好に奏することができる。
【０２７３】
また、上記特徴Ｂ７を備えた構成においては、「前記隔壁部は前記容器の内部空間のうち前記第１層が形成されている領域に対して前記挿入孔を区画するように形成されているとともに、前記受け部は前記第１層にその全体が含まれている」構成とすることで、上記特徴Ｂ７の作用効果と上記特徴Ｂ１６の作用効果とを良好に奏することができる。
【０２７４】
以下に、以上の各特徴を適用し得る各種遊技機の基本構成を示す。
【０２７５】
パチンコ遊技機：遊技者が操作する操作手段と、その操作手段の操作に基づいて遊技球を発射する遊技球発射手段と、その発射された遊技球を所定の遊技領域に導く球通路と、遊技領域内に配置された各遊技部品とを備え、それら各遊技部品のうち所定の通過部を遊技球が通過した場合に遊技者に特典を付与する遊技機。
【０２７６】
スロットマシン等の回胴式遊技機：複数の絵柄を可変表示させる絵柄表示装置を備え、始動操作手段の操作に起因して前記複数の絵柄の可変表示が開始され、停止操作手段の操作に起因して又は所定時間経過することにより前記複数の絵柄の可変表示が停止され、その停止後の絵柄に応じて遊技者に特典を付与する遊技機。
【図面の簡単な説明】
【０２７７】
【図１】第１の実施の形態におけるパチンコ機を示す正面図である。
【図２】パチンコ機の主要な構成を展開して示す斜視図である。
【図３】パチンコ機の主要な構成を展開して示す斜視図である。
【図４】遊技盤の構成を示す正面図である。
【図５】演出用ユニットの外観を示す側面図である。
【図６】演出用ユニットの分解斜視図である。
【図７】一部破断部分を含む演出用ユニットの斜視図である。
【図８】演出用ユニットの縦断面図である。
【図９】（ａ）〜（ｃ）演出用ユニットの動作を説明するための説明図である。
【図１０】（ａ）〜（ｄ）演出用ユニットの動作を説明するための説明図である。
【図１１】出力軸の回転に対して浮き部材が追従して移動する様子を説明するためのタイミングチャートである。
【図１２】パチンコ機の電気的構成を示すブロック図である。
【図１３】遊技制御に用いる各種カウンタの概要を示す説明図である。
【図１４】第２の実施の形態における演出用ユニット及びその周辺の構成を説明するための説明図である。
【図１５】（ａ）第３の実施の形態における演出用ユニットの構成を説明するための正面図、（ｂ）Ａ―Ａ線断面図である。
【符号の説明】
【０２７８】
１０…パチンコ機、１０２…駆動手段としての駆動ブロック、１１１…容器としてのハウジング、１１８…第１層としての下側層、１１９…第２層としての上側層、１２０…界面、１２１…可動手段としての浮きユニット、１２２…受け部としての駆動受け部材、１２３…線状部材、１２４…可動物としての浮き部材、１４１…対抗力付与手段を構成する隔壁部、１４４…挿入孔としての隔壁貫通孔、１６２…出力部としての出力軸、１６４…追従力付与手段又は磁気手段を構成する永久磁石、１６６…磁気手段を構成する強磁性体、１７５…制限部材、２１０…表示制御装置、２１２…駆動制御手段としての機能を有するＭＰＵ。
【図１】
2010136845.tif 000003
【図２】
2010136845.tif 000004
【図３】
2010136845.tif 000005
【図４】
2010136845.tif 000006
【図５】
2010136845.tif 000007
【図６】
2010136845.tif 000008
【図７】
2010136845.tif 000009
【図８】
2010136845.tif 000010
【図９】
2010136845.tif 000011
【図１０】
2010136845.tif 000012
【図１１】
2010136845.tif 000013
【図１２】
2010136845.tif 000014
【図１３】
2010136845.tif 000015
【図１４】
2010136845.tif 000016
【図１５】
2010136845.tif 000017